(57)【要約】  サブフィールド法を用いて画像を表示する際に、横クロストークの影響を抑制しつつ、輝度ずれ又は色度ずれを抑制する。  サブフィールド法を用いて画像を表示する画像表示装置（５０）であって、赤緑青の各色の色信号が示す輝度に対応づけて、複数のサブフィールドのうち点灯させるサブフィールドを示す点灯パターンが格納されたＳＦ変換テーブルを参照することにより、入力された各色の色信号が示す輝度に対応する点灯パターンを取得し、取得した点灯パターンにしたがって色ごとに点灯信号を生成するＳＦ変換部（５２）と、点灯信号にしたがって、発光体を発光させることにより画像を表示するＰＤＰモジュール（５３）とを備え、青色及び赤色の少なくとも一方のＳＦ変換テーブルに格納される点灯パターンの種類数は、緑色のＳＦ変換テーブルに格納される点灯パターンの種類数よりも多い。
2010047091.tif 000002
【特許請求の範囲】
【請求項１】
赤緑青の各色の色信号にしたがって、赤緑青の各色の発光体からそれぞれなる複数の画素をサブフィールド法を用いて発光させることにより画像を表示する画像表示装置であって、
赤緑青の各色の色信号が示す輝度に対応づけて、複数のサブフィールドのうち点灯させるサブフィールドを示す点灯パターンが格納されたＳＦ変換テーブルを、色ごとに記憶しているＳＦ変換テーブル記憶部と、
前記ＳＦ変換テーブル記憶部に記憶された色ごとのＳＦ変換テーブルを参照することにより、入力された各色の色信号が示す輝度に対応する点灯パターンを取得し、取得した点灯パターンにしたがって色ごとに点灯信号を生成するＳＦ変換部と、
前記ＳＦ変換部によって生成された点灯信号にしたがって、前記発光体を発光させることにより画像を表示する画像表示部とを備え、
青色及び赤色の少なくとも一方の前記ＳＦ変換テーブルに格納される点灯パターンの種類数は、緑色の前記ＳＦ変換テーブルに格納される点灯パターンの種類数よりも多い
画像表示装置。
【請求項２】
前記ＳＦ変換テーブルには、複数のサブフィールドのうち選択された少なくとも１つのサブフィールドが所定の閾値より大きいすべての輝度に対して点灯することを示す点灯パターンが格納される
請求項１に記載の画像表示装置。
【請求項３】
前記画像表示部は、
走査電極及び維持電極からなる表示電極を有する前面基板と、
データ電極を有し、前記表示電極に対して前記データ電極が交差するように前記前面基板と対向する位置に配置された背面基板とを備え、
対向する前記前面基板及び前記背面基板の間に複数の放電セルが構成され、
前記サブフィールド法における１ＴＶフィールドは、前記複数の放電セルの少なくとも１つを初期化放電する初期化期間と、前記複数の放電セルのうち点灯すべき放電セルをアドレス放電する書込み期間と、アドレス放電された前記放電セルを維持放電する維持期間とをそれぞれ有する複数のサブフィールドから構成され、
前記複数のサブフィールドのうち少なくとも１つのサブフィールドは、前記複数の放電セルのすべてを初期化放電する全セル初期化放電期間を有し、
前記ＳＦ変換テーブルには、所定の閾値より大きいすべての輝度に対して複数のサブフィールドのうち全セル初期化放電期間を有するサブフィールドが点灯することを示す点灯パターンが格納される
請求項１又は２に記載の画像表示装置。
【請求項４】
さらに、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データが、当該色の入力色信号の示す輝度に対応づけて格納された色度補正テーブルを記憶している色度補正テーブル記憶部と、
前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、
前記色度補正テーブル記憶部に記憶されている色度補正テーブルを参照することにより、青色及び赤色の少なくとも一方の入力色信号に対応する色度補正データを取得する色度補正データ取得部と、
前記発光特性補正部によって補正された後の各色の色信号のうち前記色度補正データ取得部によって取得された色度補正データに対応する色の色信号を、当該色度補正データを用いて補正する色度補正部とを備え、
前記ＳＦ変換部は、前記色度補正部によって補正された後の色信号の輝度に対応する点灯パターンを取得する
請求項１〜３のいずれか１項に記載の画像表示装置。
【請求項５】
さらに、
前記各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部を備える
請求項４に記載の画像表示装置。
【請求項６】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより青色の入力色信号が示す輝度に対応する色度補正データを取得し、
前記色度補正部は、前記発光特性補正部によって補正された後の青色の色信号を、前記色度補正データ取得部によって取得された色度補正データを用いて補正する
請求項５に記載の画像表示装置。
【請求項７】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより赤色の入力色信号が示す輝度に対応する色度補正データを取得し、
前記色度補正部は、前記発光特性補正部によって補正された後の赤色の色信号を、前記色度補正データ取得部によって取得された色度補正データを用いて補正する
請求項５に記載の画像表示装置。
【請求項８】
前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、
前記色度補正データ取得部は、前記色度補正テーブルを参照することにより青色及び赤色の入力色信号が示す輝度に対応する色度補正データのそれぞれを取得し、
前記色度補正部は、前記色度補正データ取得部によって取得された色度補正データを用いて、前記発光特性補正部によって補正された後の青色及び赤色の色信号のそれぞれを補正する
請求項５に記載の画像表示装置。
【請求項９】
前記所定の係数αは、１００以下のあらかじめ定められた値である
請求項６〜８のいずれか１項に記載の画像表示装置。
【請求項１０】
前記色度補正部は、前記各色の入力色信号が示す輝度レベルが略一致している場合に、色信号を補正する
請求項４〜９のいずれか１項に記載の画像表示装置。
【請求項１１】
前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正する
請求項４〜１０のいずれか１項に記載の画像表示装置。
【請求項１２】
赤緑青の各色の発光体からそれぞれなる複数の画素をサブフィールド法を用いて発光させることにより画像を表示する画像表示部へ出力される赤緑青の各色の色信号を補正する色信号補正装置であって、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データを当該色の入力色信号の示す輝度に対応づけて格納するための色度補正テーブルを記憶している色度補正テーブル記憶部と、
赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部と、
前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正部と、
前記色度補正テーブル記憶部に記憶されている色度補正テーブルを参照することにより、青色及び赤色の少なくとも一方の入力色信号に対応する色度補正データを取得する色度補正データ取得部と、
前記発光特性補正部によって補正された後の各色の色信号のうち前記色度補正データ取得部によって取得された色度補正データに対応する色の色信号を、当該色度補正データを用いて補正する色度補正部とを備える
色信号補正装置。
【請求項１３】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより青色の入力色信号が示す輝度に対応する色度補正データを取得し、
前記色度補正部は、前記発光特性補正部によって補正された後の青色の色信号を、前記色度補正データ取得部によって取得された色度補正データを用いて補正する
請求項１２に記載の色信号補正装置。
【請求項１４】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより赤色の入力色信号が示す輝度に対応する色度補正データを取得し、
前記色度補正部は、前記発光特性補正部によって補正された後の赤色の色信号を、前記色度補正データ取得部によって取得された色度補正データを用いて補正する
請求項１２に記載の色信号補正装置。
【請求項１５】
前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、
前記色度補正データ取得部は、前記色度補正テーブルを参照することにより青色及び赤色の入力色信号が示す輝度に対応する色度補正データのそれぞれを取得し、
前記色度補正部は、前記色度補正データ取得部によって取得された色度補正データを用いて、前記発光特性補正部によって補正された後の青色及び赤色の色信号のそれぞれを補正する
請求項１２に記載の色信号補正装置。
【請求項１６】
前記所定の係数αは、１００以下のあらかじめ定められた値である
請求項１３〜１５のいずれか１項に記載の色信号補正装置。
【請求項１７】
前記色度補正部は、前記各色の入力色信号が示す輝度レベルが略一致している場合に、色信号を補正する
請求項１２〜１６のいずれか１項に記載の色信号補正装置。
【請求項１８】
前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正する
請求項１２〜１７のいずれか１項に記載の色信号補正装置。
【請求項１９】
赤緑青の各色の発光体からそれぞれなる複数の画素をサブフィールド法を用いて発光させることにより画像を表示する画像表示部へ出力される赤緑青の各色の色信号を補正する色信号補正装置において用いられる色信号補正方法あって、
前記色信号補正装置は、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データを当該色の入力色信号の示す輝度に対応づけて格納するための色度補正テーブルを記憶している色度補正テーブル記憶部とを備え、
前記色信号補正方法は、
赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出ステップと、
前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正ステップと、
前記色度補正テーブル記憶部に記憶されている色度補正テーブルを参照することにより、青色及び赤色の少なくとも一方の入力色信号に対応する色度補正データを取得する色度補正データ取得ステップと、
前記発光特性補正ステップにおいて補正された後の各色の色信号のうち前記色度補正データ取得ステップにおいて取得された色度補正データに対応する色の色信号を、当該色度補正データを用いて補正する色度補正ステップとを含む
色信号補正方法。
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）などの表示部にサブフィールド法を用いて画像を表示する画像表示装置並びにそれに用いられる色信号補正装置及び色信号補正方法に関するものである。
【背景技術】
【０００２】
ＰＤＰは、大別して、駆動的にはＡＣ型とＤＣ型があり、放電形式では面放電型と対向放電型の２種類があるが、高精細化、大画面化および製造の簡便性から、現状では３電極構造の面放電型のＰＤＰが主流である。【０００３】
この面放電型のパネルでは、少なくとも前面側が透明な一対の基板を基板間に放電空間が形成されるように対向配置する。また、前記放電空間を複数に仕切るための隔壁を基板に配置する。さらに、前記隔壁により仕切られた放電空間で放電が発生するように基板に電極群を配置する。そして、放電により赤色、緑色、青色にそれぞれ発光する蛍光体を設けることにより、複数の放電セルを構成する。このような面放電型のパネルは、放電により発生する波長の短い真空紫外光によって蛍光体を励起し、赤色、緑色、青色の放電セルからそれぞれ赤色、緑色、青色の可視光を発することによりカラー表示を行っている。【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。【０００５】
上述した構成のＰＤＰの駆動方式としては、図１８に示すように点灯時間を時分割するサブフィールド法、すなわち、１フィールド期間を複数のサブフィールド（以下、単に「ＳＦ」ともいう。）に分割した上で、発光させるサブフィールドの組み合わせによってＲＧＢ（赤緑青：Ｒｅｄ  Ｇｒｅｅｎ  Ｂｌｕｅ）各色セルの階調表示を行う方式が用いられている。各サブフィールドは、初期化期間、書込み期間及び維持期間を有する。初期化期間では初期化放電を発生させ、続く書込み動作に必要な壁電荷を形成する。書込み期間では、表示する画像に応じて選択的に放電セルで書込み放電を発生させ壁電荷を形成する。そして維持期間では、走査電極と維持電極とからなる表示電極対に交互に維持パルスを印加することにより維持放電を発生させ、対応する放電セルの蛍光体を発光させて画像表示を行う。なお、図１８は８ＳＦの例である。
【先行技術文献】
【特許文献】
【０００６】
【特許文献１】特開２００３−１３１５８０号公報
【発明の概要】
【発明が解決しようとする課題】
【０００７】
ところで、ＰＤＰはＳＦによって階調を表現するため、図１９に示すように、ＳＦの維持パルス数を、１、２、４、６、１２…というように重み付けし、入力階調に対応したＳＦの組合せを点灯させている。なお、図１９は、８ＳＦ、最大階調１３５の例であり、図中の空白は非点灯状態を示し、「１」は点灯状態を示す。【０００８】
ここで、従来、ＰＤＰにおいては、非点灯のＳＦが連続して存在する場合、横クロストークと呼ばれる現象の影響を受けて放電セルが不点灯になるという課題が発生する場合があった。具体的には、図２０に示す、例えば階調「４」は、ＳＦ１とＳＦ２とを連続して不点灯にし、ＳＦ３を点灯することにより表現される。このような場合、横クロストークの影響によりＳＦ３が不点灯になりやすい。【０００９】
ここで横クロストークの現象について詳しく説明する。ＰＤＰの放電セルは隔壁によって隔離されているが、実際は前面板と背面板の隔壁との間に数μｍの隙間がある。したがって、図２１に示すように、混色時に隣接する放電セル間において互いに放電が干渉する。そしてこのような現象を「横クロストーク」（「横ＸＴ」とも呼ぶ）と呼んでいる。【００１０】
横クロストークの影響について詳しく説明する。ＰＤＰは、書込み放電を発生させることによってＳＦの点灯又は不点灯を選択している。例えば、Ｒ（赤）・Ｇ（緑）・Ｂ（青）放電セルに書込み放電を同時に発生させた場合、Ｒ・Ｂ放電セルからプライミング粒子がＧ放電セルに飛び込むため、Ｇ放電セルが書込み放電（点灯）しやすくなる。逆に、図２２に示すように各ＳＦにおいてＲ・Ｇ・Ｂ放電セルが点灯した場合、ＳＦ３でＧ放電セルに蓄積された壁電荷がＲ・Ｂ放電セルからのプライミング粒子によって奪われるため、続くＳＦ４のＧ放電セルが書込み不良（不点灯）しやすくなる。このように横クロストークの影響によって点灯・非点灯の状態制御が困難となってしまう場合がある。【００１１】
そして、このような横クロストークの影響を最も受ける放電セルは、Ｇ放電セルであり、ＲとＢの放電セルはさほど横クロストークの影響を受けない。なぜなら、Ｇは視感度が高く、点灯ミスが発生すると視覚的に目立つからである。また、視覚的な面だけではなく、Ｇの蛍光体材料は、Ｒ・Ｂの蛍光体材料とは異なる極性（負）に蛍光体表面が帯電するため、Ｒ及びＢの放電セルによりＧの放電セルの壁電荷の状態が影響を受けやすくなっているという面もある。【００１２】
そこで、従来のＰＤＰにおいては、横クロストークによる課題を回避するために、図１９に示す階調のうち、図２０おいて斜線部で示すような、連続した非点灯のＳＦを有する階調を除いた階調（例えば、図２３に示すような階調）を時間的に又は空間的に混合させる方法（例えば、ディザあるいは誤差拡散）により、実際に表現したい階調を表現する。具体的には、例えば階調「４」を表現したい場合、階調「３」と階調「５」とを時間的に又は空間的に交互に表現することにより、階調「４」を表現している。【００１３】
ここで、以上のような構成のＰＤＰにおいては、階調特性を整えるため、ＲＧＢごとに入力階調に対する輝度を測定し、ＲＧＢそれぞれのＬＵＴ（ルックアップテーブル：Ｌｏｏｋ−Ｕｐ  Ｔａｂｌｅ）を調整することによって発光輝度特性の補正を行うことが行われる。【００１４】
ところで、近年、大画面のＰＤＰを高画質化し、プロ用機器（マスタモニタ、ポスプロモニタなど）に用いたいという要望が高まっている。プロ用機器の認定基準は様々あり、例えば色温度５６００Ｋの白色を表示する場合において、入力階調２５５階調中５０階調目以上の階調の色度ずれ（目標色度と実測色度の差）を±０．００２以内に抑えるという基準がある。ＰＤＰはＲＧＢのＳＦを同じように点灯させた場合、色温度９０００Ｋの白色となる。このように色温度９０００Ｋの白色をＰＤＰが表示する場合、図２４に示すように色度ずれは許容範囲内である。【００１５】
しかしながら、色温度を５６００Ｋに下げるためにＢの輝度を下げた場合、図２５に示すように中間階調から高階調で色度が振動し、色度ずれが許容範囲外になってしまう。【００１６】
これは横クロストークの影響によって、単色よりも混色が点灯しやすくなったからである。つまり、ＰＤＰはＬＵＴによってＲＧＢの単色毎に入力輝度と出力輝度との関係を整えているが、混色になると放電セルが放電しやすくなって、単色時よりも輝度が出過ぎてしまうからである（そういう観点では、ＰＤＰは厳密には加法混色が成立しないと言える）。【００１７】
詳述すると、図２４に示すように色温度９０００Ｋの白色は中間階調から高階調において輝度ずれ（要求輝度値と実測輝度値の差）が発生するが、ＲＧＢがバランスよく輝度ずれを起こしているため、色度ずれが発生しない。一方、色温度５６００Ｋの白色は、入力階調に対してＢのＳＦの点灯状況がＲＧと異なるため、ＢとＲＧの輝度ずれのバランスが崩れ、色度ずれが発生している。【００１８】
白色の色度ずれは判別しやすく、図２５に示すように現状の色度ずれは±０．００３に達し、白色の色度ずれが目立つため、ＰＤＰをポスプロモニタとして使用できないという課題が発生する場合があった。【００１９】
本発明は、このような状況に鑑みなされたものであり、サブフィールド法を用いて画像を表示する際に、横クロストークの影響を抑制しつつ、輝度ずれ及び色度ずれの少なくとも一方を大幅に抑制することが可能な画像表示装置及び色信号補正装置等を提供することを目的とする。
【課題を解決するための手段】
【００２０】
上記目的を達成するために、本発明の一態様である画像表示装置は、赤緑青の各色の色信号にしたがって、赤緑青の各色の発光体からそれぞれなる複数の画素をサブフィールド法を用いて発光させることにより画像を表示する画像表示装置であって、赤緑青の各色の色信号が示す輝度に対応づけて、複数のサブフィールドのうち点灯させるサブフィールドを示す点灯パターンが格納されたＳＦ変換テーブルを、色ごとに記憶しているＳＦ変換テーブル記憶部と、前記ＳＦ変換テーブル記憶部に記憶された色ごとのＳＦ変換テーブルを参照することにより、入力された各色の色信号が示す輝度に対応する点灯パターンを取得し、取得した点灯パターンにしたがって色ごとに点灯信号を生成するＳＦ変換部と、前記ＳＦ変換部によって生成された点灯信号にしたがって、前記発光体を発光させることにより画像を表示する画像表示部とを備え、青色及び赤色の少なくとも一方の前記ＳＦ変換テーブルに格納される点灯パターンの種類数は、緑色の前記ＳＦ変換テーブルに格納される点灯パターンの種類数よりも多い。【００２１】
これにより、横クロストークの影響を受けにくい青色及び赤色の少なくとも一方の点灯パターンの種類数を、横クロストークの影響を受けやすい緑色の点灯パターンの種類数よりも多くすることができるので、横クロストークの発生を抑制しつつ、表示可能な階調数を増加させることができる。したがって、中間階調の輝度ずれ及び色度ずれを効果的に抑制することが可能となる。また、表示可能な階調数を増加させることで、白色の輝度ずれ及び色度ずれも抑制することが可能となる。【００２２】
また、前記ＳＦ変換テーブルには、複数のサブフィールドのうち選択された少なくとも１つのサブフィールドが所定の閾値より大きいすべての輝度に対して点灯することを示す点灯パターンが格納されることが好ましい。【００２３】
これにより、横クロストークの影響を受けやすい高精細パネルにおいても、横クロストークの発生を抑制しつつ、表示可能な階調数を増加させることができる。したがって、特に、高精細パネルにおける中間階調の輝度ずれ及び色度ずれを効果的に抑制することが可能となる。【００２４】
また、前記画像表示部は、走査電極及び維持電極からなる表示電極を有する前面基板と、データ電極を有し、前記表示電極に対して前記データ電極が交差するように前記前面基板と対向する位置に配置された背面基板とを備え、対向する前記前面基板及び前記背面基板の間に複数の放電セルが構成され、前記サブフィールド法における１ＴＶフィールドは、前記複数の放電セルの少なくとも１つを初期化放電する初期化期間と、前記複数の放電セルのうち点灯すべき放電セルをアドレス放電する書込み期間と、アドレス放電された前記放電セルを維持放電する維持期間とをそれぞれ有する複数のサブフィールドから構成され、前記複数のサブフィールドのうち少なくとも１つのサブフィールドは、前記複数の放電セルのすべてを初期化放電する全セル初期化放電期間を有し、前記ＳＦ変換テーブルには、所定の閾値より大きいすべての輝度に対して複数のサブフィールドのうち全セル初期化放電期間を有するサブフィールドが点灯することを示す点灯パターンが格納されることが好ましい。【００２５】
これにより、ＰＤＰの初期化放電の方法に応じて点灯させるサブフィールドを制御できるので、より効果的に輝度ずれ及び色度ずれを抑制することが可能となる。【００２６】
また、さらに、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データが、当該色の入力色信号の示す輝度に対応づけて格納された色度補正テーブルを記憶している色度補正テーブル記憶部と、前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、前記色度補正テーブル記憶部に記憶されている色度補正テーブルを参照することにより、青色及び赤色の少なくとも一方の入力色信号に対応する色度補正データを取得する色度補正データ取得部と、前記発光特性補正部によって補正された後の各色の色信号のうち前記色度補正データ取得部によって取得された色度補正データに対応する色の色信号を、当該色度補正データを用いて補正する色度補正部とを備え、前記ＳＦ変換部は、前記色度補正部によって補正された後の色信号の輝度に対応する点灯パターンを取得することが好ましい。【００２７】
これにより、赤緑青を混色して表現される白色を表示したときの色度ずれに基づいて色信号を補正することができるので、サブフィールド法を用いて白色を表示する場合の色度ずれを抑制することができる。さらに、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。【００２８】
また、さらに、前記各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部を備えることが好ましい。【００２９】
これにより、表示色度と目標色度との差分に基づいて、色度補正データを算出することが可能となるので、より高精度に色度ずれを補正することが可能となる。【００３０】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより青色の入力色信号が示す輝度に対応する色度補正データを取得し、前記色度補正部は、前記発光特性補正部によって補正された後の青色の色信号を、前記色度補正データ取得部によって取得された色度補正データを用いて補正することが好ましい。【００３１】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために青色の色信号を補正するので、例えば色温度が９０００Ｋ未満の白色における色度ずれを効果的に抑制することが可能となる。【００３２】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより赤色の入力色信号が示す輝度に対応する色度補正データを取得し、前記色度補正部は、前記発光特性補正部によって補正された後の赤色の色信号を、前記色度補正データ取得部によって取得された色度補正データを用いて補正することが好ましい。【００３３】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色の色信号を補正するので、例えば色温度が９０００Ｋ以上の白色における色度ずれを効果的に抑制することが可能となる。【００３４】
また、前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、前記色度補正データ取得部は、前記色度補正テーブルを参照することにより青色及び赤色の入力色信号が示す輝度に対応する色度補正データのそれぞれを取得し、前記色度補正部は、前記色度補正データ取得部によって取得された色度補正データを用いて、前記発光特性補正部によって補正された後の青色及び赤色の色信号のそれぞれを補正することが好ましい。【００３５】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色及び青色の色信号を補正するので、より高精度に色度ずれを抑制することが可能となる。【００３６】
また、前記所定の係数αは、１００以下のあらかじめ定められた値であることが好ましい。【００３７】
これにより、適切な値の係数αを用いて色度補正データを算出できるので、高精度に色度ずれを抑制することが可能となる。【００３８】
また、前記色度補正部は、前記各色の入力色信号が示す輝度レベルが略一致している場合に、色信号を補正することが好ましい。【００３９】
これにより、赤緑青を混色して表示する場合に、効率的に色度ずれを抑制することが可能となる。すなわち、赤緑青を混色して表示しない場合、つまり横クロストークによる色度ずれが発生しにくい場合には、色度ずれを抑制するための処理を行わず、輝度ずれを抑えることが可能となる。つまり、白色が表示される際に色度ずれが生じず、赤緑青のいずれかの単色が表示される際に輝度ずれが生じないようにすることが可能となる。【００４０】
また、前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正することが好ましい。【００４１】
これにより、色度ずれを補正する又は補正しないが切り替えられる際の急激な輝度あるいは色度の変動を抑制することが可能となる。【００４２】
また、本発明の一態様である色信号補正装置は、赤緑青の各色の発光体からそれぞれなる複数の画素をサブフィールド法を用いて発光させることにより画像を表示する画像表示部へ出力される赤緑青の各色の色信号を補正する色信号補正装置であって、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データを当該色の入力色信号の示す輝度に対応づけて格納するための色度補正テーブルを記憶している色度補正テーブル記憶部と、赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部と、前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、前記色度補正テーブル記憶部に記憶されている色度補正テーブルを参照することにより、青色及び赤色の少なくとも一方の入力色信号に対応する色度補正データを取得する色度補正データ取得部と、前記発光特性補正部によって補正された後の各色の色信号のうち前記色度補正データ取得部によって取得された色度補正データに対応する色の色信号を、当該色度補正データを用いて補正する色度補正部とを備える。【００４３】
これにより、赤緑青を混色して表現される白色を表示したときの色度ずれに基づいて色信号を補正することができるので、サブフィールド法を用いて画像表示装置に白色を表示する場合の色度ずれを抑制することができる。さらに、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。【００４４】
さらに、表示色度と目標色度との差分に基づいて、色度補正データを算出することが可能となるので、より正確に色度ずれを補正することが可能となる。【００４５】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより青色の入力色信号が示す輝度に対応する色度補正データを取得し、前記色度補正部は、前記発光特性補正部によって補正された後の青色の色信号を、前記色度補正データ取得部によって取得された色度補正データを用いて補正することが好ましい。【００４６】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために青色の色信号を補正するので、例えば色温度が９０００Ｋ未満の白色における色度ずれを効果的に抑制することが可能となる。【００４７】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより赤色の入力色信号が示す輝度に対応する色度補正データを取得し、前記色度補正部は、前記発光特性補正部によって補正された後の赤色の色信号を、前記色度補正データ取得部によって取得された色度補正データを用いて補正することが好ましい。【００４８】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色の色信号を補正するので、例えば色温度が９０００Ｋ以上の白色における色度ずれを効果的に抑制することが可能となる。【００４９】
また、前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、前記色度補正データ取得部は、前記色度補正テーブルを参照することにより青色及び赤色の入力色信号が示す輝度に対応する色度補正データのそれぞれを取得し、前記色度補正部は、前記色度補正データ取得部によって取得された色度補正データを用いて、前記発光特性補正部によって補正された後の青色及び赤色の色信号のそれぞれを補正することが好ましい。【００５０】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色及び青色の色信号を補正するので、より高精度に色度ずれを抑制することが可能となる。【００５１】
また、前記色度補正部は、前記各色の入力色信号が示す輝度レベルが略一致している場合に、色信号を補正することが好ましい。【００５２】
これにより、赤緑青を混色して表示する場合に、効率的に色度ずれを抑制することが可能となる。すなわち、赤緑青を混色して表示しない場合、つまり横クロストークによる色度ずれが発生しにくい場合には、色度ずれを抑制するための処理を行わず、輝度ずれを抑えることが可能となる。つまり、白色が表示される際に色度ずれが生じず、赤緑青のいずれかの単色が表示される際に輝度ずれが生じないようにすることが可能となる。【００５３】
また、前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正することが好ましい。【００５４】
これにより、色度ずれを補正する又は補正しないが切り替えられる際の急激な輝度あるいは色度の変動を抑制することが可能となる。【００５５】
また、本発明の一態様である色信号補正方法は、赤緑青の各色の発光体からそれぞれなる複数の画素をサブフィールド法を用いて発光させることにより画像を表示する画像表示部へ出力される赤緑青の各色の色信号を補正する色信号補正装置において用いられる色信号補正方法であって、前記色信号補正装置は、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データが、当該色の入力色信号の示す輝度に対応づけて格納された色度補正テーブルを記憶している色度補正テーブル記憶部とを備え、前記色信号補正方法は、赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出ステップと、前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正ステップと、前記色度補正テーブル記憶部に記憶されている色度補正テーブルを参照することにより、青色及び赤色の少なくとも一方の入力色信号に対応する色度補正データを取得する色度補正データ取得ステップと、前記発光特性補正ステップにおいて補正された後の各色の色信号のうち前記色度補正データ取得ステップにおいて取得された色度補正データに対応する色の色信号を、当該色度補正データを用いて補正する色度補正ステップとを含む。【００５６】
これにより、上記の色信号補正装置と同様の効果を奏することができる。
【発明の効果】
【００５７】
本発明によれば、サブフィールド法を用いて画像を表示する際に、横クロストークの影響を抑制しつつ、輝度ずれ及び色度ずれの少なくとも一方を大幅に抑制することが可能な画像表示装置及び色信号補正装置等を提供することができる。
【図面の簡単な説明】
【００５８】
【図１】図１は、本発明の一実施の形態による色信号補正方法及びそれを具現化する本発明の一実施の形態による色信号補正装置により画像表示を行う、本発明の一実施の形態である画像表示装置の一例であるＰＤＰの概略構成を示す断面斜視図である。
【図２】図２は、本発明の実施の形態１における色信号補正装置の機能構成を示すブロック図である。
【図３】図３は、本発明の実施の形態１における色度補正テーブルの一例を示す図である。
【図４Ａ】図４Ａは、本発明の実施の形態１における色信号補正装置の機能構成のうち、第１ステップの処理を実行する際に必要な機能構成を示すブロック図である。
【図４Ｂ】図４Ｂは、本発明の実施の形態１における色信号補正装置の機能構成のうち、第２ステップの処理を実行する際に必要な機能構成を示すブロック図である。
【図５Ａ】図５Ａは、本発明の実施の形態１における第１ステップの処理の流れを示すフローチャートである。
【図５Ｂ】図５Ｂは、本発明の実施の形態１における第２ステップの処理の流れを示すフローチャートである。
【図６】図６は、本発明の実施の形態１における色度補正装置による色信号の補正結果を示す図である。
【図７】図７は、本発明の実施の形態２における色信号補正装置の機能構成を示すブロック図である。
【図８】図８は、本発明の実施の形態３における色信号補正装置による補正処理を説明するための図である。
【図９】図９は、本発明の実施の形態３における色信号補正装置の機能構成を示すブロック図である。
【図１０】図１０は、本発明の実施の形態４における色信号補正装置の機能構成を示すブロック図である。
【図１１】図１１は、本発明の実施の形態５における画像表示装置の機能構成を示す図である。
【図１２Ａ】図１２Ａは、本発明の実施の形態５におけるＧＳＦ変換テーブルの一例を示す図である。
【図１２Ｂ】図１２Ｂは、本発明の実施の形態５におけるＲＳＦ変換テーブル及びＢＳＦ変換テーブルの一例を示す図である。
【図１３】図１３は、全セル初期化による横クロストークの発生を説明するための図である。
【図１４】図１４は、本発明の実施の形態６における画像表示装置の機能構成を示す図である。
【図１５Ａ】図１５Ａは、本発明の実施の形態６におけるＧＳＦ変換テーブルの一例を示す図である。
【図１５Ｂ】図１５Ｂは、本発明の実施の形態６におけるＲＳＦ変換テーブル及びＢＳＦ変換テーブルの一例を示す図である。
【図１６Ａ】図１６Ａは、本発明の実施の形態６におけるＧＳＦ変換テーブルを説明するための図である。
【図１６Ｂ】図１６Ｂは、本発明の実施の形態６におけるＲＳＦ変換テーブル及びＢＳＦ変換テーブルを説明するための図である。
【図１７】図１７は、本発明の変形例における画像表示装置の機能構成を示すブロック図である。
【図１８】図１８は、ＳＦの構成を説明するための図である。
【図１９】図１９は、従来のＳＦ変換テーブルの一例を示す図である。
【図２０】図２０は、横クロストークによる課題を回避するために用いられるＳＦ変換テーブルを説明するための図である。
【図２１】図２１は、横クロストークの原理を示す図である。
【図２２】図２２は、横クロストークの発生パターンを示す図である。
【図２３】図２３は、横クロストークによる課題を回避するために用いられるＳＦ変換テーブルの一例を示す図である。
【図２４】図２４は、従来の、色温度９０００Ｋにおける各色の輝度ずれと白色の色度ずれとを示す図である。
【図２５】図２５は、従来の、色温度５６００Ｋにおける各色の輝度ずれと白色の色度ずれとを示す図である。
【発明を実施するための形態】
【００５９】
以下、本発明の実施の形態による色信号補正装置、色信号補正方法及び画像表示装置について、図面を用いて説明する。なお、本発明の実施の態様はこれに限定されるものではない。
【００６０】
（実施の形態１）
図１は、本発明の一実施の形態による色信号補正方法及びそれを具現化する本発明の一実施の形態による色信号補正装置により画像表示を行う、本発明の一実施の形態である画像表示装置の一例であるＰＤＰの概略構成を示す断面斜視図である。
【００６１】
図１に示すように、ＰＤＰは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００６２】
また、背面基板２上には絶縁体層７で覆われた複数のデータ電極８が設けられ、その絶縁体層７上には井桁状の隔壁９ａが設けられている。また、絶縁体層７の表面および隔壁９ａの側面に蛍光体層９ｂが設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００６３】
次に、上述した本発明の一実施の形態による画像表示装置であるＰＤＰを駆動するための発明の一実施の形態による色信号補正装置、色信号補正方法について、以下、説明する。
【００６４】
（色信号補正装置）
図２は、本発明の実施の形態１における色信号補正装置の機能構成を示すブロック図である。
【００６５】
色信号補正装置１０は、それぞれ異なる色に発光する複数の発光体のそれぞれに対応した複数色の色信号（Ｒａ、Ｇａ、Ｂａ）に、各色の発光体の発光輝度特性を補正するための補正処理を行う装置である。すなわち、色信号補正装置１０は、画像表示部へ出力される、赤緑青の各色の色信号を補正する。なお、画像表示部は、赤緑青の各色の点灯及び非点灯を繰り返すことにより中間階調を表示するサブフィールド法を用いて各発光体を発光させることにより画像を表示する。色信号補正装置１０は、ＬＵＴ記憶部１１と、発光特性補正部１２と、色度補正テーブル記憶部１３と、色度補正データ取得部１４と、色度補正部１５と、色度補正データ算出部１６とを備える。
【００６６】
（ＬＵＴ記憶部１１）
ＬＵＴ記憶部１１は、各色の発光体の発光輝度特性を補正するための発光輝度特性補正データが各色の入力色信号が示す輝度に対応づけて格納された赤緑青の各色用ＬＵＴ１１ａを記憶している。
【００６７】
（発光特性補正部１２）
発光特性補正部１２は、発光体の輝度飽和などの発光特性を補正するために、各色用ＬＵＴ１１ａを参照することにより各色の入力色信号が示す輝度に対応する発光輝度特性補正データを取得する。そして、発光特性補正部１２は、取得した発光輝度特性補正データを用いて前記各色の入力色信号を補正する。つまり、発光特性補正部１２は、赤緑青の各色の入力色信号の輝度レベル（Ｒａ、Ｇａ、Ｂａ）に対する各色の出力色信号の輝度レベル（Ｒｄ、Ｇｄ、Ｂｃ）を、表示部を構成する各画素の発光輝度に応じて変更することにより、入力色信号の輝度レベルに対する画像表示部の発光輝度が線形になるように補正する処理部であり、非線形補正回路が好適に用いられる。
【００６８】
なお、発光特性補正部１２は、逆ガンマ処理又はカットオフ・ドライブの機能を備えてもよい。また、発光特性補正部１２は、逆ガンマ処理又はカットオフ・ドライブの機能を備える処理部によって処理された後の色信号を補正してもよい。
【００６９】
（色度補正テーブル記憶部１３）
色度補正テーブル記憶部１３は、色度補正データ算出部１６によって算出された色度補正データ（以下、色度補正値ともいう。）が格納された色度補正テーブル１３ａを記憶する。色度補正テーブル１３ａは、青色の色信号を補正するための色度補正値が、青色の入力色信号の示す輝度レベル（Ｂａ）に対応づけて格納される。
【００７０】
図３は、色度補正テーブルの一例を示す図である。図３に示すように、色度補正テーブル１３ａには、青色の入力色信号の輝度レベル（Ｂａ）に対して非線形な色度補正値（Ｂｂ）が格納されている。
【００７１】
（色度補正データ取得部１４）
色度補正データ取得部１４は、色度補正テーブル記憶部１３に記憶されている色度補正テーブル１３ａを参照することにより、青色の入力色信号が示す輝度レベル（Ｂａ）に対応する色度補正値を取得する。
【００７２】
（色度補正部１５）
色度補正部１５は、白色の入力色信号の輝度レベルの変化に連動した色度の変動を抑制するための処理部である。つまり、色度補正部１５は、発光特性補正部１２によって補正された後の各色の色信号のうち青色の色信号を、色度補正データ取得部１４によって取得された色度補正データを用いて補正する。具体的には、色度補正部１５は、色度補正データ取得部１４によって取得された、青色の入力色信号の輝度レベル（Ｂａ）に対応する色度補正値（Ｂｂ）を、発光特性補正部１２によって補正された後の青色の色信号の輝度レベル（Ｂｃ）に付加（加算）することにより、輝度レベル（Ｂｃ）を輝度レベル（Ｂｄ）に補正する。
【００７３】
（色度補正データ算出部１６）
色度補正データ算出部１６は、色度補正部１５などによって色信号が補正される前に、色度補正テーブルに格納する色度補正データを算出する処理部である。具体的には、色度補正データ算出部１６は、白色の輝度レベルを０〜２５５まで変えた場合にｙの色度ずれと白色の輝度レベルとを乗算し、さらに係数αを乗算した値である色度補正値を算出する。すなわち、色度補正データ算出部１６は、目標色度のｙ座標と、測定された表示色度のｙ座標との差分値を目標色度が示す白色の輝度レベルと乗算する。そして、色度補正データ算出部１６は、乗算した値をさらに係数α倍した値を、色度補正値として算出する。さらに、色度補正データ算出部１６は、算出した色度補正値を青色の色信号が示す輝度レベルに対応づけて色度補正テーブル１３ａへ格納する。
【００７４】
ここで、係数αは、正の実数である。なお、係数αは、１００以下のあらかじめ定められた正の固定値であることが好ましい。また、色度ずれに白色の輝度を乗算したのは、同じ色度ずれの値でも輝度が暗ければＢの輝度補正を弱くし、輝度が明るければＢの輝度補正を強くしなければならないからである。
【００７５】
なお、色温度５６００Ｋの白色では、色度ずれｙと色度ずれｘとがほぼ同様に変動しているため、色度補正データ算出部１６は、色度ずれｘを用いて青色の色度補正データを算出してもよい。
【００７６】
次に、以上のように構成された色信号補正装置１０の動作について説明する。
【００７７】
色信号補正装置１０は、色度補正データ算出部１６を用いて色度補正テーブル１３ａを作成して色度補正テーブル記憶部１３に格納する第１ステップと、色度補正テーブル記憶部１３に格納した色度補正テーブル１３ａを参照して色度補正を行う第２ステップとで使用する構成が異なる。具体的には、第１ステップでは、図４ＡのようにＬＵＴ記憶部１１と、発光特性補正部１２と、色度補正データ算出部１６と、色度補正テーブル記憶部１３とを使用する。また、第２ステップでは、図４ＢのようにＬＵＴ記憶部１１と、発光特性補正部１２と、色度補正テーブル記憶部１３と、色度補正データ取得部１４と、色度補正部１５とを使用する。
【００７８】
図５Ａは、本発明の実施の形態１において、第１ステップの処理の流れを示すフローチャートである。なお、第１ステップの処理は作業者が行ってもよい。
【００７９】
まず、白色を表示するウィンドウ領域（画像表示部に含まれる画面の全部又は一部の領域）を決定する（ステップＳ１０１）。例えば、画面の中央に位置し、画面全体の面積の１０〜３０％の面積となる矩形領域を、白色を表示するウィンドウ領域として決定する。
【００８０】
次に、色度補正データを生成する白色の色温度を決定し、色度補正データ算出部１６に入力する（ステップＳ１０２）。例えば、リモコン等によって白色の色温度を入力する。なお、あらかじめ保持された色温度に従って色温度を決定してもよい。
【００８１】
次に、ウィンドウ領域に表示される白色の色温度を入力した色温度に略一致させる（ステップＳ１０３）。あらかじめ保持されていない色温度を新たに入力した場合は、色信号のカットオフ・ドライブの機能を使用してＲＧＢの色信号比率を変えて略一致させる。なお、発光特性補正部の各色用ＬＵＴを直接変更して白色の色温度を略一致させてもよい。
【００８２】
次に、係数αを決定し、色度補正データ算出部１６に入力する（ステップＳ１０４）。例えば、あらかじめ保持された初期値（例えば、「４０」など）を係数αとして決定すればよい。
【００８３】
次に、画像表示装置は、階調を変更しながら全ての階調に対して、以下のステップＳ１０５からステップＳ１０７までの処理を繰り返す。具体的には、画像表示装置は、例えば、０〜２５５まで、徐々に階調を上げながら処理を実行する。
【００８４】
画像表示部を有する画像表示装置は、略一致された色温度の白色の画像を、決定されたウィンドウ領域に表示する（ステップＳ１０５）。このとき、画像表示装置は、発光特性補正部１２によって補正された後の入力色信号に従って画像を表示している。
【００８５】
色度補正データ算出部１６は、ウィンドウ領域に表示された白色の画像の色度であって実際に測定された色度を表示色度として取得する。さらに、色度補正データ算出部１６は、ウィンドウ領域に表示された画像の輝度レベルであって実際に測定された輝度レベルを取得する（ステップＳ１０６）。
【００８６】
そして、色度補正データ算出部１６は、取得した表示色度のｙ座標の値と、ステップＳ１０２において決定された色温度に基づく色度（目標色度）のｙ座標の値との差分値を、階調ごとに算出する（ステップＳ１０７）。さらに、色度補正データ算出部１６は、算出した差分値と、取得した輝度レベルと、決定した係数αとを乗じた値を、色度補正値として階調ごとに算出する（ステップＳ１０８）。
【００８７】
このように算出された色度補正値が、対応する階調と色温度によって特定される青色の入力色信号が示す輝度レベルに対応づけて色度補正テーブル１３ａに格納される（ステップＳ１０９）。
【００８８】
なお、色度補正データ算出部１６は、階調に係わらず１つの係数αを決定していたが、階調ごとに係数αを決定してもよい。その場合、ステップＳ１０４は、ループ内に含まれる。
【００８９】
また、色度補正データ算出部１６は、複数の係数αのそれぞれについて色度補正値候補を算出し、色度補正テーブル候補に格納してもよい。この場合、色度補正データ算出部１６は、色度補正テーブル候補の中から、最も目標色度と表示色度との差分が小さくなる色度補正テーブル候補を色度補正テーブルとして選択すればよい。
【００９０】
また、ステップＳ１０２において、色温度の代わりに、白色の色度（ｘ座標及びｙ座標）が決定されてもよい。その場合、ステップＳ１０３では、ウィンドウ領域に表示される白色の色度を入力した色度に略一致させる。また、ステップＳ１０７において、色度補正データ算出部１６は、取得した表示色度のｙ座標の値と、ステップＳ１０２において決定された色度（目標色度）のｙ座標の値との差分値を、階調ごとに算出する。
【００９１】
以上のステップＳ１０１〜Ｓ１０９の処理により、色度補正テーブル１３ａに色度補正値が格納される。
【００９２】
図５Ｂは、本発明の実施の形態１において、第２ステップの処理の流れを示すフローチャートである。
【００９３】
発光特性補正部１２は、ＬＵＴ記憶部１１に記憶された各色用ＬＵＴ１１ａを参照することにより各色の入力色信号が示す輝度に対応する発光輝度特性補正データを取得する。そして、発光特性補正部１２は、取得した発光輝度特性補正データを用いて、各色の入力色信号を補正する（ステップＳ２０１）。具体的には、発光特性補正部１２は、各色用ＬＵＴに格納された、各色の入力色信号が示す輝度レベル（例えば、「１００」）に対応する発光輝度特性補正値（例えば、「９５」）を補正後の色信号として生成する。
【００９４】
そして、色度補正データ取得部１４は、色度補正テーブル記憶部１３に記憶されている色度補正テーブル１３ａを参照することにより、青色の入力色信号に対応する色度補正値を取得する（ステップＳ２０２）。例えば、色度補正データ取得部１４は、図３に示す色度補正テーブル１３ａを参照することにより、入力色信号の輝度レベル「１００」に対応する色度補正値「−５」を取得する。
【００９５】
最後に、色度補正部１５は、発光特性補正部１２によって補正された後の青色の色信号を、色度補正データ取得部１４によって取得された色度補正データを用いて補正する（ステップＳ２０３）。具体的には、色度補正部１５は、例えば、補正後の色信号の輝度レベル「９５」に色度補正値「−５」を加算する。
【００９６】
以上のような色信号補正装置１０をＰＤＰ（画像表示部）を備える画像表示装置に搭載し、実際に画像の表示を行ったところ、従来からの課題であった白色の階調特性において、図６に示すように色度の変動を抑えることができた。このときの係数αは４０であった。そして、画像表示装置は、自然画像についても、良好な画像を表示することができた。なお、係数αは、１００以下の正の実数の場合に比較的良好な効果が得られる。特に４０の場合には良好な実験結果が得られた。
【００９７】
以上のように、本実施の形態における色信号補正装置１０は、赤緑青を混色して表現される白色を表示したときの色度ずれに基づいて色信号を補正することができるので、サブフィールド法を用いて白色を表示する場合の色度ずれを抑制することができる。さらに、色信号補正装置１０は、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。
【００９８】
また、色信号補正装置１０は、表示色度と目標色度との差分に基づいて、輝度に応じた色度補正データを容易に算出することができる。つまり、色信号補正装置１０は、算出した色度補正データを用いることにより、輝度が低い入力色信号に対して色度および輝度を大きく変更することなく補正することができる。また、色信号補正装置１０は、色度ずれを補正するために青色の色信号を補正するので、例えば色温度が９０００Ｋ未満の白色における色度ずれを効果的に抑制することが可能となる。
【００９９】
なお、色温度が９０００Ｋより高い場合は、色度補正部１５は、赤色の色信号を補正することが好ましい。これは、白色の色温度が９０００Ｋより低い場合は、青色の影響が大きく、白色の色温度が９０００Ｋより高い場合は、赤色の影響が大きいからである。なお、赤色の色信号を補正する場合、色信号補正装置１０は、上述した青色の色信号を補正する場合の青色を赤色に変更すればよい。
【０１００】
また、本実施の形態では、色信号補正装置１０が色度補正データ算出部１６を備えていたが、必ずしも色信号補正装置１０が色度補正データ算出部１６を備えなくてもよい。その場合、色信号補正装置１０は、例えば、コンピュータ等よってあらかじめ算出された色信号補正データを色度補正テーブル記憶部１３に記憶すればよい。
【０１０１】
また、本実施の形態では、色度補正テーブル記憶部１３が色度補正テーブル１３ａを記憶していたが、色度補正テーブル１３ａに格納された色度補正データを青色用ＬＵＴに反映させてもよい。この場合、色信号補正装置１０は、色度補正テーブル記憶部１３、色度補正データ取得部１４及び色度補正部１５を備えなくてもよい。
【０１０２】
（実施の形態２）
次に、本発明の実施の形態２について説明する。
【０１０３】
実施の形態１における色信号補正装置１０は白色の色度の変動を抑制するために、Ｂの色信号を色度補正データを用いて補正した。しかし、各色の入力色信号によって特定される画素の色がＢ単色の場合に色度補正データを用いて補正したとき、Ｂの輝度ずれが発生する。そこで、実施の形態２における色信号補正装置２０は、図７に示すように、さらに色度補正切替部２１を備える。
【０１０４】
図７は、本発明の実施の形態２における色信号補正装置の機能構成を示すブロック図である。図７において、図２と同様の構成要素については、同一の符号を付し、説明を省略する。
【０１０５】
（色度補正切替部２１）
色度補正切替部２１は、ＲＧＢの各色の入力色信号間の輝度レベルのバランスに応じて、色度補正部２２に色信号の補正をさせるか否かを切り替える。具体的には、ＲＧＢの各色の入力色信号が示す輝度レベルが略一致している場合に、色度補正切替部２１は、例えば、「１」を示す切替信号を色度補正部２２に出力する。一方、ＲＧＢの各色の入力色信号が示す輝度レベルが略一致していない場合に、色度補正切替部２１は、例えば、「０」を示す切替信号を色度補正部２２に出力する。ここで、略一致とは、厳密に一致していることに加えて、一致していると同視できる程度に近似していることを示す。具体的には、略一致とは、各色の入力色信号間の輝度レベルの各差分値があらかじめ定められた基準値を超えないことをいう。
【０１０６】
（色度補正部２２）
色度補正部２２は、各色の入力色信号が示す輝度レベルが略一致している場合に、色信号を補正する。具体的には、色度補正部２２は、例えば、色度補正データ取得部１４によって取得された色度補正値Ｂｂに、色度補正切替部２１によって出力された切替信号が示す値Ｓｅｌを乗算する。そして、色度補正部２２は、乗算した後の値を発光特性補正部１２によって補正された後の青色の色信号の輝度レベルＢｃに加算する。
【０１０７】
以上のように、本実施の形態における色信号補正装置２０は、赤緑青を混色して表示する場合にのみ、効率的に色度ずれを抑制することが可能となる。すなわち、色信号補正装置２０は、赤緑青を混色して表示しない場合、つまり横クロストークによる色度ずれが発生しにくい場合には、色度ずれを抑制するための処理を行わず、輝度ずれを抑えることが可能となる。つまり、色信号補正装置２０は、白色が表示される際に色度ずれが生じず、赤緑青のいずれかの単色が表示される際に輝度ずれが生じないようにすることが可能となる。
【０１０８】
なお、各色の入力色信号によって特定される画素の色が白色に近い場合、色度補正部２２によって色信号を補正する又は補正しない（ＯＮ又はＯＦＦ）が繰り返し変更されることにより、ちらつきが認識されるほどに白色の色度が大きく変動する場合がある。そこで、色度補正部２２は、時間的に緩やかに色信号を補正する又は補正しないを切り替えることが好ましい。具体的には、色度補正部２２は、各色の入力色信号が示す輝度レベルが略一致したときから時間の経過とともに最大値まで徐々に大きくなる係数β（βは０以上１以下の実数）を色度補正データに乗算した値を用いて色信号を補正することが好ましい。
【０１０９】
なお、Ｂ単色が表示されたときの輝度ずれは画質的にはほとんど影響が無いため、色度補正部２２による補正処理の切替は必ずしも必要ではない。
【０１１０】
また、説明を省略したが、本実施の形態における色信号補正装置２０の動作は、実施の形態１における色信号補正装置１０の動作と同様に、第１ステップと第２ステップとに分けられる。つまり、色信号補正装置２０は、第１ステップにおいて、ＬＵＴ記憶部１１と、発光特性補正部１２と、色度補正データ算出部１６と、色度補正テーブル記憶部１３とを用いて、色度補正テーブル１３ａを作成して色度補正テーブル記憶部１３に格納する。また、色信号補正装置２０は、第２ステップにおいて、ＬＵＴ記憶部１１と、発光特性補正部１２と、色度補正テーブル記憶部１３と、色度補正データ取得部１４と、色度補正切替部２１と、色度補正部２２とを用いて、色度補正テーブル記憶部１３に格納された色度補正テーブル１３ａを参照して色度補正を行う。
【０１１１】
（実施の形態３）
次に、本発明の実施の形態３について説明する。
【０１１２】
実施の形態１における色信号補正装置１０は、色温度が低い場合に色度ずれｙの値を用いて青色の輝度レベルを調整して色度ずれを低減した。しかし、図８に示すように目標色度と表示色度とのずれの方向と、目標色度と青色を示す色度とを結ぶ方向とは若干ずれているため、青色の輝度レベルの調整だけでは、実施の形態１における色信号補正装置１０は完全には色度ずれを低減できない。よって、本実施の形態における色信号補正装置３０は、目標色度と実測された表示色度との差から、青色及び赤色の両方の輝度レベルを補正することにより、高精度に色度ずれを抑制する。
【０１１３】
図９は、本発明の実施の形態３における色信号補正装置の機能構成を示すブロック図である。図９において、図２と同様の構成要素については、同一の符号を付し、説明を省略する。
【０１１４】
図８に示すように、色度ずれベクトルＩ１は、目標色度１０１から表示色度１０２へ向かう方向に色度ずれが発生した場合の目標色度１０１のｘｙ座標から表示色度１０２のｘｙ座標へ向かうベクトルである。この色度ずれベクトルＩ１を抑えるためには、色度補正データ算出部３１は、色度ずれベクトルＩ１と逆方向のベクトルである色度抑制ベクトルＩ２（＝−Ｉ１）にしたがって、色信号が示す輝度を補正すればよい。この色度抑制ベクトルＩ２は、表示色度１０２のｘｙ座標から目標色度１０１のｘｙ座標へ向かうベクトルと一致する。
【０１１５】
（色度補正データ算出部３１）
そこで、色度補正データ算出部３１は、目標色度からＲ（例えば、波長６２０ｎｍ）を示す色度の方向と、目標色度からＢ（例えば、波長４７２ｎｍ）を示す色度の方向とに色度抑制ベクトルＩ２をベクトル分解する。そして、ベクトル分解後の各ベクトルの長さに目標色度が示す白色の輝度レベル及び係数αを乗算した値をＲ及びＢの色度補正データとして色度補正テーブル１３ｂ又は１３ａに格納する。なお、上記において、ベクトル分解及び乗算の順番はどちらが先でもよい。つまり、色度補正データ算出部３１は、乗算後、ベクトル分解してもよい。
【０１１６】
すなわち、色度補正データ算出部３１は、測定された表示色度のｘｙ座標から目標色度のｘｙ座標へ向かう色度抑制ベクトルを目標色度が示す白色の輝度レベル及び係数αと乗算してもよい。そして、色度補正データ算出部３１は、目標色度のｘｙ座標と青色及び赤色の色度を示すｘｙ座標とを結ぶ２つの線分の方向に乗算後のベクトルをベクトル分解してもよい。さらに、色度補正データ算出部３１は、ベクトル分解後の各ベクトルの大きさを青色及び赤色の色度補正データとして算出してもよい。
【０１１７】
（色度補正データ取得部３２）
このように色度補正データ算出部３１によって色度補正データが格納された色度補正テーブル１３ａ及び１３ｂを参照することにより、色度補正データ取得部３２は、青色及び赤色の色度補正データを取得する。
【０１１８】
（色度補正部３３）
色度補正部３３は、色度補正データ取得部３２によって取得された青色及び赤色の色度補正データを用いて、発光特性補正部１２によって補正された後の青色及び赤色の色信号のそれぞれを補正する。
【０１１９】
以上のように、本実施の形態における色信号補正装置３０は、表示色度のｘｙ座標から目標色度のｘｙ座標へ向かう色度抑制ベクトルを用いて、青色及び赤色の色度補正データを算出することができる。そして、色信号補正装置３０は、このように算出された青色及び赤色の色度補正データを用いて、赤色及び青色の両方の入力色信号を補正するので、より高精度に色度ずれを抑制することが可能となる。したがって、本実施の形態における色信号補正装置３０をＰＤＰを備える画像表示装置に搭載すれば、画像表示装置は、さらに白色の色度ずれを抑えることができる。
【０１２０】
また、説明を省略したが、本実施の形態における色信号補正装置３０の動作は、実施の形態１における色信号補正装置１０の動作と同様に、第１ステップと第２ステップとに分けられる。つまり、色信号補正装置３０は、第１ステップにおいて、ＬＵＴ記憶部１１と、発光特性補正部１２と、色度補正データ算出部３１と、色度補正テーブル記憶部１３とを用いて、色度補正テーブル１３ａ、１３ｂを作成して色度補正テーブル記憶部１３に格納する。また、色信号補正装置３０は、第２ステップにおいて、ＬＵＴ記憶部１１と、発光特性補正部１２と、色度補正テーブル記憶部１３と、色度補正データ取得部３２と、色度補正部３３とを用いて、色度補正テーブル記憶部１３に格納された色度補正テーブル１３ａ、１３ｂを参照して色度補正を行う。
【０１２１】
（実施の形態４）
次に、本発明の実施の形態４について説明する。
【０１２２】
実施の形態３における色信号補正装置３０は、白色の色度の変動を抑制するために、ＲとＢの色信号を色度補正データを用いて補正した。しかし、ＲＧＢの入力色信号によって特定される画素の色がＲ単色あるいはＢ単色の場合も色度補正データを用いて補正した場合、ＲあるいはＢに輝度ずれが発生する。そこで、実施の形態４における色信号補正装置４０は、図１０に示すように、さらに色度補正切替部４１を備える。
【０１２３】
図１０は、本発明の実施の形態４における色信号補正装置の機能構成を示すブロック図である。図１０において、図９と同様の構成要素については、同一の符号を付し、説明を省略する。
【０１２４】
（色度補正切替部４１）
色度補正切替部４１は、ＲＧＢの各色の入力色信号間の輝度レベルのバランスに応じて、色度補正部４２に色信号の補正をさせるか否かを切り替える。具体的には、ＲＧＢの各色の入力色信号が示す輝度レベルが略一致している場合に、色度補正切替部４１は、例えば、「１」を示す切替信号を色度補正部４２に出力する。一方、ＲＧＢの各色の入力色信号が示す輝度レベルが略一致していない場合に、色度補正切替部４１は、例えば、「０」を示す切替信号を色度補正部４２に出力する。
【０１２５】
（色度補正部４２）
色度補正部４２は、各色の入力色信号が示す輝度レベルが略一致している場合に、色信号を補正する。具体的には、色度補正部４２は、例えば、色度補正データ取得部１４によって取得された青色の色度補正値Ｂｂに、色度補正切替部４１によって出力された切替信号が示す値Ｓｅｌを乗算する。そして、色度補正部４２は、乗算した後の値を発光特性補正部１２によって補正された後の青色の色信号の輝度レベルＢｃに加算する。また、色度補正部４２は、例えば、色度補正データ取得部１４によって取得された赤色の色度補正値Ｒｂに、色度補正切替部４１によって出力された切替信号が示す値Ｓｅｌを乗算する。そして、色度補正部４２は、乗算した後の値を発光特性補正部１２によって補正された後の赤色の色信号の輝度レベルＲｃに加算する。
【０１２６】
以上のように、本実施の形態における色信号補正装置４０は、赤緑青を混色して表示する場合にのみ、効率的に色度ずれを抑制することが可能となる。すなわち、色信号補正装置４０は、赤緑青を混色して表示しない場合、つまり横クロストークによる色度ずれが発生しにくい場合には、色度ずれを抑制するための処理を行わず、輝度ずれを抑えることが可能となる。つまり、色信号補正装置４０は、白色が表示される際に色度ずれが生じず、赤緑青のいずれかの単色が表示される際に輝度ずれが生じないようにすることが可能となる。
【０１２７】
なお、各色の入力色信号によって特定される画素の色が白色に近い場合、色度補正部４２によって色信号を補正する又は補正しない（ＯＮ又はＯＦＦ）が繰り返し変更されることにより、ちらつきが認識されるほどに白色の色度が大きく変動する場合がある。そこで、色度補正部４２は、時間的に緩やかに色信号を補正する又は補正しないを切り替えることが好ましい。具体的には、色度補正部４２は、各色の入力色信号が示す輝度レベルが略一致したときから時間の経過とともに徐々に大きくなる係数β（βは０以上１以下の実数）を色度補正データに乗算した値を用いて色信号を補正することが好ましい。
【０１２８】
なお、赤色単色あるいは青色単色が表示されたときの輝度ずれは画質的にはほとんど影響が無いため、色度補正部４２による補正処理の切替は必ずしも必要ではない。
【０１２９】
なお、説明を省略したが、本実施の形態における色信号補正装置４０の動作は、実施の形態１における色信号補正装置１０の動作と同様に、第１ステップと第２ステップとに分けられる。つまり、色信号補正装置４０は、第１ステップにおいて、ＬＵＴ記憶部１１と、発光特性補正部１２と、色度補正データ算出部１６と、色度補正テーブル記憶部１３とを用いて、色度補正テーブル１３ａ、１３ｂを作成して色度補正テーブル記憶部１３に格納する。また、色信号補正装置４０は、第２ステップにおいて、ＬＵＴ記憶部１１と、発光特性補正部１２と、色度補正テーブル記憶部１３と、色度補正データ取得部３２と、色度補正切替部４１と、色度補正部４２とを用いて、色度補正テーブル記憶部１３に格納された色度補正テーブル１３ａ、１３ｂを参照して色度補正を行う。
【０１３０】
（実施の形態５）
次に、本発明の実施の形態５について説明する。
【０１３１】
上記実施の形態１〜４における色信号補正装置は、色度補正テーブル及び各色用ＬＵＴを用いて色信号を補正することにより、色度ずれを抑制した。しかしながら、上記実施の形態１〜４における色信号補正装置は、純粋なＲＧＢあるいはＷを高精度に表現することができるが、他の色の中間階調を高精度に表現することが難しい。中間階調を高精度に表現するには混色時の輝度ずれを根本的に抑える必要がある。
【０１３２】
混色時の輝度ずれはサブフィールドの点灯パターンで表現できない階調を補完するための誤差拡散あるいはディザを多用している階調部分で発生している。具体的には、横クロストークの影響を低減させるために、サブフィールドの組合せによって表現することを制限された階調等を、その階調とは異なる階調を空間的又は時間的に混合させる方法（例えば、ディザあるいは誤差拡散）によって表現した場合に、混色時の輝度ずれが発生している。
【０１３３】
しかしながら、サブフィールドの点灯パターンで表現できる階調数を単純に増やせば、横クロストークに起因する色度ずれ及び輝度ずれが発生してしまう。
【０１３４】
そこで、実施の形態５における画像表示装置は、横クロストークの影響を抑制しつつ、サブフィールドの点灯パターンで表現できる階調数を増加させることにより、色度ずれ及び輝度ずれを抑制することができることを特徴とする。
【０１３５】
図１１は、本発明の実施の形態５における画像表示装置の機能構成を示すブロック図である。画像表示装置５０は、ＳＦ変換テーブル記憶部５１と、ＳＦ変換部５２と、ＰＤＰモジュール５３とを備える。
【０１３６】
（ＳＦ変換テーブル記憶部５１）
ＳＦ変換テーブル記憶部５１は、例えば不揮発性のメモリからなる。ＳＦ変換テーブル記憶部５１は、色ごとのＳＦ変換テーブルである、ＲＳＦ変換テーブル５１ａ、ＧＳＦ変換テーブル５１ｂ及びＢＳＦ変換テーブル５１ｃを記憶している。
【０１３７】
図１２Ａは、ＧＳＦ変換テーブル５１ｂの一例を示す図である。また、図１２Ｂは、ＲＳＦ変換テーブル５１ａ又はＢＳＦ変換テーブル５１ｃの一例を示す図である。なお、図１２Ａに示すＧＳＦ変換テーブル５１ｂは、図２３に示す、横クロストークの影響を回避するためのＳＦ変換テーブルと同様である。また、図１２Ｂに示すＲＳＦ変換テーブル５１ａ又はＢＳＦ変換テーブル５１ｃは、図１９に示すＳＦ変換テーブルと同様である。
【０１３８】
すなわち、ＲＳＦ変換テーブル５１ａ又はＢＳＦ変換テーブル５１ｃが示す点灯パターンの種類数は、ＧＳＦ変換テーブル５１ｂが示す点灯パターンの種類数よりも多い。つまり、横クロストークの影響を受けやすい緑色よりも、横クロストークの影響を受けにくい赤色又は青色の方が、サブフィールドの点灯パターンで表現できる階調数が多い。
【０１３９】
なお、ＲＳＦ変換テーブル５１ａ及びＢＳＦ変換テーブル５１ｃの少なくとも一方が、図１２Ｂに示すテーブルであればよい。つまり、ＲＳＦ変換テーブル５１ａ及びＢＳＦ変換テーブル５１ｃのそれぞれに格納された点灯パターンの種類数の少なくとも一方は、ＧＳＦ変換テーブル５１ｂに格納された点灯パターンの種類数よりも多ければよい。この場合であっても、従来よりも点灯パターンの種類数、つまり表現できる階調数を増加させることができるので、画像表示装置は、横クロストークの影響を抑えつつ、色度ずれ及び輝度ずれを抑制することができる。
【０１４０】
（ＳＦ変換部５２）
ＳＦ変換部５２は、ＲＳＦ変換部５２ａ、ＧＳＦ変換部５２ｂ及びＢＳＦ変換部５２ｃを有する。ＲＳＦ変換部５２ａ、ＧＳＦ変換部５２ｂ及びＢＳＦ変換部５２ｃのそれぞれは、ＳＦ変換テーブル記憶部５１に記憶された、対応する色のＳＦ変換テーブル（ＲＳＦ変換テーブル５１ａ、ＧＳＦ変換テーブル５１ｂ及びＢＳＦ変換テーブル５１ｃ）を参照することにより、各色の色信号が示す輝度に対応する点灯パターンを取得する。そして、ＲＳＦ変換部５２ａ、ＧＳＦ変換部５２ｂ及びＢＳＦ変換部５２ｃのそれぞれは、取得した点灯パターンにしたがって点灯信号（Ｒｅ、Ｇｅ、Ｂｅ）を生成する。また、ＳＦ変換部５２は、初期化信号、書込み信号及び維持信号などを生成する。
【０１４１】
（ＰＤＰモジュール５３）
ＰＤＰモジュール５３は、例えば図１に示す交流面放電パネルと交流面放電パネルの３電極に駆動波形を印加するための駆動回路からなり、ＳＦ変換部５２によって生成された点灯信号にしたがって、ＰＤＰモジュール５３は発光体を発光させることにより画像を表示する。なお、ＰＤＰモジュール５３は、画像表示部に相当する。
【０１４２】
従来、各階調の点灯パターンは、ＲＧＢで同一の点灯パターンが用いられる。その点灯パターンは、前述したように、横クロストークの影響を回避するための、図２３に示す点灯パターンである。したがって、表現できる階調数（点灯パターンの種類数）が、図１９に示すような、サブフィールド法によって本来表現できる階調数よりも減少してしまっている。
【０１４３】
ここで、横クロストークの影響を最も受ける放電セルは、Ｇ放電セルであり、ＲとＢの放電セルはさほど横クロストークの影響を受けない。なぜなら、Ｇは視感度が高く、点灯ミスが発生すると視覚的に目立つからである。また、視覚的な面だけではなく、蛍光体の材料にも依存する。具体的には、Ｇが最も横クロストークの影響を受け、ＲとＢはさほど横クロストークの影響を受けない。なぜなら、Ｇは蛍光体表面が−（マイナス）に帯電するため、Ｒ及びＢよりも横クロストークによって壁電荷を失いやすく、書込みミスが起こりやすいからである。
【０１４４】
そこで、本実施の形態におけるＳＦ変換テーブル記憶部５１は、図１２Ｂに示すＲ及びＢの点灯パターンの種類数が、図１２Ａに示すＧの点灯パターンの種類数よりも多いＳＦ変換テーブルを記憶している。その結果、ＰＤＰモジュール５３は、Ｒ及びＢの点灯パターンの種類数を従来よりも増加させることができるので、誤差拡散あるいはディザを多用することなく、点灯パターンによって表現できる階調数を増加させることができる。
【０１４５】
また、ＳＦ変換テーブル記憶部５１は、横クロストークの影響を受けやすいＧの点灯パターンの種類数を、本来、ＳＦの組合せによって表現できる階調数よりも減少させたＳＦ変換テーブルを記憶している。したがって、画像表示装置５０は、横クロストークに対するマージンを保ちながら輝度ずれ及び色度ずれを抑えることができる。
【０１４６】
以上のように、実施の形態５における画像表示装置５０は、横クロストークの影響を受けにくい青色及び赤色の少なくとも一方の点灯パターンの種類数を、横クロストークの影響を受けやすい緑色の点灯パターンの種類数よりも多くすることができる。したがって、画像表示装置５０は、横クロストークの発生を抑制しつつ、表示可能な階調数を増加させることができる。つまり、画像表示装置５０は、中間階調の輝度ずれ及び色度ずれを効果的に抑えることができる。また、画像表示装置５０は、点灯パターンによって表現可能な階調数を増加させることができるので、白色の輝度ずれ及び色度ずれも抑制することが可能となる。
【０１４７】
なお、実施の形態５における画像表示装置５０と実施の形態１〜４における色信号補正装置とを組み合わせることでさらに輝度ずれ及び色度ずれを抑えることができる。
【０１４８】
また、図１２Ａ又は図１２Ｂに示したＳＦ変換テーブルは例示であり、必ずしも図１２Ａ又は図１２Ｂに示したＳＦ変換テーブルと同一のＳＦ変換テーブルがＳＦ変換テーブル記憶部５１に格納される必要はない。つまり、横クロストークの影響を抑制するために点灯パターンの種類数を制限したＧＳＦ変換テーブルと、少なくとも一方が、ＧＳＦ変換テーブルよりも点灯パターンの種類数の多いＲＳＦ変換テーブル及びＢＳＦ変換テーブルとがＳＦ変換テーブル記憶部５１に格納されればよい。この場合であっても、点灯させるサブフィールドの組合せによって表現できる階調数を増加させることができるので、実施の形態５における画像表示装置５０は、横クロストークの影響を抑制しつつ、色度ずれ及び輝度ずれを抑制することが可能となる。
【０１４９】
（実施の形態６）
実施の形態５で例示したＳＦ点灯パターンを用いて、横クロストークが発生しやすい高精細パネルを点灯させた場合、ＳＦの初期化方法の違いによって点灯不良が発生して輝度ずれ及び色度ずれが発生する。そこで、実施の形態６では、高精細パネルに適用できるＳＦ点灯パターンについて説明する。
【０１５０】
ＰＤＰの駆動方式は、１フィールド期間を複数のサブフィールドに分割した上で、発光させるサブフィールドの組み合わせによってＲＧＢ各色セルの階調表示を行う方式（サブフィールド法）が用いられている。各サブフィールドは、初期化期間、書込み期間及び維持期間を有する。
【０１５１】
初期化には２種類あり、すべての放電セルを一斉に初期化放電する全セル初期化と、維持放電した放電セルのみを初期化放電する選択的初期化とが存在する。全セル初期化は、すべての放電セルを確実に初期化放電できるが、もし、すべてのサブフィールドを全セル初期化にすれば、黒浮きして画質のコントラストが悪化する。なおかつ、全セル初期化は選択的初期化よりも初期化に要する時間が長いため、駆動時間を圧迫してしまう。よって、画像表示装置は、一般的に１フィールド期間に１回だけ（例えば、ＳＦ１のみ）全セル初期化している。
【０１５２】
上述した全セル初期化後の最初のアドレス放電（いわゆる、ＳＦ１のアドレス放電）は選択的初期化後の放電よりも放電強度が強い。よって、横クロストークが発生しやすい高精細パネルでは、ＳＦ１のアドレス放電によってＳＦ２以降に点灯不良が発生し、色度ずれが発生する。例えば、実施の形態５のＳＦ点灯パターンには、図１３のようなＳＦ点灯パターンが存在する。図１３のように、ＳＦ１において、ＲＧＢ放電セルのうちＲＢ放電セルが点灯すれば、Ｇ放電セルに蓄積された壁電荷がＲＢ放電セルに奪われる。その結果、続くＳＦ２において、Ｇ放電セルが点灯不良になる。なお、ＳＦ２以降は選択的初期化であるため、Ｇ放電セルがＳＦ２において点灯不良になった場合、ＳＦ３以降も点灯不良になる。
【０１５３】
そこで本実施形態における画像表示装置では、黒表示以外のときに、全セル初期化であるＳＦ１を常に点灯するＳＦ点灯パターンを用いる。
【０１５４】
図１４は、本発明の実施の形態６における画像表示装置の機能構成を示すブロック図である。図１４において、図１１と同様の構成要素については、同一の符号を付し、説明を省略する。なお、本実施の形態における画像表示装置６０と実施の形態５における画像表示装置５０とは、ＳＦ変換テーブル記憶部に記憶される各色のＳＦ変換テーブルと、ＳＦ変換部の処理の一部とが異なる。
【０１５５】
（ＳＦ変換テーブル記憶部６１）
ＳＦ変換テーブル記憶部６１は、図１５Ａに示すＧＳＦ変換テーブル６１ｂと、図１５Ｂに示すＲＳＦ変換テーブル６１ａ及びＢＳＦ変換テーブル６１ｃとを記憶している。図１５Ａに示すＧＳＦ変換テーブル６１ｂは、図１２Ａに示したＳＦ変換テーブルにおいてＳＦ１が非点灯であるＳＦ点灯パターン（図１６Ａにおいて斜線部で示すＳＦ１を含むＳＦ点灯パターン）を除いたＳＦ点灯パターンからなるＳＦ変換テーブルである。また、図１５Ｂに示すＲＳＦ変換テーブル６１ａ及びＢＳＦ変換テーブル６１ｃは、図１２Ｂに示したＳＦ変換テーブルにおいてＳＦ１が非点灯であるＳＦ点灯パターン（図１６Ｂにおいて斜線部で示すＳＦ１を含むＳＦ点灯パターン）を除いたＳＦ点灯パターンからなるＳＦ変換テーブルである。
【０１５６】
図１５Ａ及び図１５Ｂに示すように、ＲＳＦ変換テーブル６１ａ、ＧＳＦ変換テーブル６１ｂ及びＢＳＦ変換テーブル６１ｃには、複数のサブフィールドのうち選択された少なくとも１つのサブフィールドとしてＳＦ１が、所定の閾値である「０」より大きいすべての輝度に対して常に点灯する点灯パターンが格納される。ここで、所定の閾値は必ずしも「０」である必要はなく、非常に低い輝度を示す値であればよい。
【０１５７】
なお、斜線部で示したＳＦを含むＳＦ点灯パターンを除くことにより減少した階調は、維持パルス数の重み付けの調整及び誤差拡散あるいはディザによって表現されればよい。具体的には、例えば、斜線部で示したＳＦを含むＳＦ点灯パターンを除くことにより減少した階調は、その階調より大きい階調とその階調より小さい階調とを時間的に交互に表示することにより表現されればよい。また、例えば、斜線部で示したＳＦを含むＳＦ点灯パターンを除くことにより減少した階調は、その階調より大きい階調とその階調より小さい階調とを空間的に交互に表示することにより表現されればよい。このような構成にすることによって、高精細パネルであっても全セル初期化による横クロストークの影響を抑制しつつ、輝度ずれや色度ずれを抑えることができる。
【０１５８】
（ＳＦ変換部６２）
ＳＦ変換部６２は、ＳＦ変換テーブルを参照することにより、各色の色信号が示す輝度に対応する点灯パターンを取得する。具体的には、ＳＦ変換部６２が有するＲＳＦ変換部６２ａ、ＧＳＦ変換部６２ｂ及びＢＳＦ変換部６２ｃは、対応する色のＳＦ変換テーブルを参照することにより、各色の色信号が示す輝度に対応する点灯パターンを取得する。
【０１５９】
以上のように実施の形態６における画像表示装置６０は、横クロストークの影響の受けやすいサブフィールドにおいて、黒表示以外のときにＰＤＰモジュール５３を常に点灯させることできる。したがって、画像表示装置６０は、横クロストークの影響を受けやすい高精細パネルにおいても、横クロストークの影響を抑制しつつ、輝度ずれと色度ずれを抑えることができる。特に、画像表示装置６０は、全セル初期化放電が行われることにより横クロストークの影響の受けやすくなるサブフィールドにおいて、黒表示以外のときにＰＤＰモジュール５３を常に点灯させることによって、横クロストークの影響をさらに抑制することが可能となる。
【０１６０】
また、画像表示装置６０は、横クロストークの影響を抑制しつつ、表現できる階調数を増加させることができるので、白色の輝度ずれ及び色度ずれも抑制することができるのはいうまでもない。
【０１６１】
なお、実施の形態６における画像表示装置６０と実施の形態１〜４のいずれかにおける画像信号補正装置とを組み合わせることで、さらに厳密に白色の輝度ずれ及び色度ずれを抑えることができる。
【０１６２】
また、図１５Ａ又は図１５Ｂに示したＳＦ変換テーブルは例示であり、必ずしも図１５Ａ又は図１５Ｂに示したＳＦ変換テーブルと同一のＳＦ変換テーブルがＳＦ変換テーブル記憶部６１に格納される必要はない。つまり、選択された少なくとも１つのサブフィールドが点灯するように、実施の形態５におけるＳＦ変換テーブルに対して修正されたＳＦ変換テーブルがＳＦ変換テーブル記憶部６１に格納されればよい。この場合であっても、実施の形態６における画像表示装置６０は、画像を表示する際に、実施の形態５における画像表示装置５０よりも横クロストークの影響を低減させることができる。
【０１６３】
以上、本発明の一態様における色信号補正装置又は画像表示装置について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０１６４】
例えば、実施の形態５又は６における画像表示装置が、実施の形態１〜４のいずれかにおける色信号補正装置を備えてもよい。例えば、実施の形態５における画像表示装置５０が実施の形態１における色信号補正装置１０を備える場合、画像表示装置は、図１７に示すような構成となる。なお、図１７において、図２又は図１１と同一の機能を有する構成要素には同一の符号を付している。
【０１６５】
画像表示装置８０は、色信号補正装置１０と、ＳＦ変換テーブル記憶部５１と、ＳＦ変換部５２と、ＰＤＰモジュール５３とを備える。ＳＦ変換部５２は、色信号補正装置１０によって補正された各色の色信号に対応する点灯パターンを取得する。これにより、画像表示装置８０は、実施の形態１と実施の形態５との両方の効果を奏することが可能となり、さらに、輝度ずれ及び色度ずれの発生を抑制することが可能となる。なお、他の実施の形態の組合せ（実施の形態１〜４のいずれかと実施の形態５又は６との組合せ）であっても、上記と同様の効果を奏するのは言うまでもない。
【０１６６】
また、実施の形態１又は２において、色度補正部が補正する色信号は、青色の色信号であったが、赤色の色信号を補正してもよい。これにより、例えば、色温度９０００Ｋ以上の白色が表示される際に、色度ずれ及び輝度ずれを効果的に抑制することが可能となる。
【０１６７】
また、上記の色信号補正装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されてもよい。システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを含んで構成されるコンピュータシステムである。例えば、図２に示すように、発光特性補正部１２と、色度補正データ取得部１４と、色度補正部１５と、色度補正データ算出部１６とは、１個のシステムＬＳＩ７０から構成されてもよい。また、図７に示すように、発光特性補正部１２と、色度補正データ取得部１４と、色度補正データ算出部１６と、色度補正切替部２１と、色度補正部２２とは、１個のシステムＬＳＩ７１から構成されてもよい。また同様に、図９又は図１０に示すように、色信号補正装置を構成する構成要素の一部は、１個のシステムＬＳＩ７２又はシステムＬＳＩ７３から構成されてもよい。
【産業上の利用可能性】
【０１６８】
本発明は、赤緑青の各色の発光体からそれぞれなる複数の画素をサブフィールド法を用いて発光させることにより画像を表示する場合に、入力色信号に対する色度ずれ及び輝度すれの少なくとも一方を抑制することができるプラズマディスプレイ、特に、プロ用機器（マスタモニタ、ポスプロモニタなど）として用いられるプラズマディスプレイに有用である。
【符号の説明】
【０１６９】
１０、２０、３０、４０    色信号補正装置
１１    ＬＵＴ記憶部
１１ａ  各色用ＬＵＴ
１２    発光特性補正部
１３    色度補正テーブル記憶部
１３ａ、１３ｂ    色度補正テーブル
１４、３２    色度補正データ取得部
１５、２２、３３、４２    色度補正部
１６、３１    色度補正データ算出部
２１、４１    色度補正切替部
５０、６０、８０    画像表示装置
５１、６１    ＳＦ変換テーブル記憶部
５１ａ、６１ａ  ＲＳＦ変換テーブル
５１ｂ、６１ｂ  ＧＳＦ変換テーブル
５１ｃ、６１ｃ  ＢＳＦ変換テーブル
５２、６２    ＳＦ変換部
５２ａ、６２ａ  ＲＳＦ変換部
５２ｂ、６２ｂ  ＧＳＦ変換部
５２ｃ、６２ｃ  ＢＳＦ変換部
５３    ＰＤＰモジュール
７０    システムＬＳＩ
【図１】
2010047091.tif 000003
【図２】
2010047091.tif 000004
【図３】
2010047091.tif 000005
【図４Ａ】
2010047091.tif 000006
【図４Ｂ】
2010047091.tif 000007
【図５Ａ】
2010047091.tif 000008
【図５Ｂ】
2010047091.tif 000009
【図６】
2010047091.tif 000010
【図７】
2010047091.tif 000011
【図８】
2010047091.tif 000012
【図９】
2010047091.tif 000013
【図１０】
2010047091.tif 000014
【図１１】
2010047091.tif 000015
【図１２Ａ】
2010047091.tif 000016
【図１２Ｂ】
2010047091.tif 000017
【図１３】
2010047091.tif 000018
【図１４】
2010047091.tif 000019
【図１５Ａ】
2010047091.tif 000020
【図１５Ｂ】
2010047091.tif 000021
【図１６Ａ】
2010047091.tif 000022
【図１６Ｂ】
2010047091.tif 000023
【図１７】
2010047091.tif 000024
【図１８】
2010047091.tif 000025
【図１９】
2010047091.tif 000026
【図２０】
2010047091.tif 000027
【図２１】
2010047091.tif 000028
【図２２】
2010047091.tif 000029
【図２３】
2010047091.tif 000030
【図２４】
2010047091.tif 000031
【図２５】
2010047091.tif 000032
【手続補正書】
【提出日】平成22年6月18日(2010.6.18)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）などの表示部にサブフィールド法を用いて画像を表示する画像表示装置並びにそれに用いられる色信号補正装置及び色信号補正方法に関するものである。
【背景技術】
【０００２】
ＰＤＰは、大別して、駆動的にはＡＣ型とＤＣ型があり、放電形式では面放電型と対向放電型の２種類があるが、高精細化、大画面化および製造の簡便性から、現状では３電極構造の面放電型のＰＤＰが主流である。
【０００３】
この面放電型のパネルでは、少なくとも前面側が透明な一対の基板を基板間に放電空間が形成されるように対向配置する。また、前記放電空間を複数に仕切るための隔壁を基板に配置する。さらに、前記隔壁により仕切られた放電空間で放電が発生するように基板に電極群を配置する。そして、放電により赤色、緑色、青色にそれぞれ発光する蛍光体を設けることにより、複数の放電セルを構成する。このような面放電型のパネルは、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
上述した構成のＰＤＰの駆動方式としては、図１８に示すように点灯時間を時分割するサブフィールド法、すなわち、１フィールド期間を複数のサブフィールド（以下、単に「ＳＦ」ともいう。）に分割した上で、発光させるサブフィールドの組み合わせによってＲＧＢ（赤緑青：Ｒｅｄ  Ｇｒｅｅｎ  Ｂｌｕｅ）各色セルの階調表示を行う方式が用いられている。各サブフィールドは、初期化期間、書込み期間及び維持期間を有する。初期化期間では初期化放電を発生させ、続く書込み動作に必要な壁電荷を形成する。書込み期間では、表示する画像に応じて選択的に放電セルで書込み放電を発生させ壁電荷を形成する。そして維持期間では、走査電極と維持電極とからなる表示電極対に交互に維持パルスを印加することにより維持放電を発生させ、対応する放電セルの蛍光体を発光させて画像表示を行う。なお、図１８は８ＳＦの例である。
【先行技術文献】
【特許文献】
【０００６】
【特許文献１】特開２００３−１３１５８０号公報
【発明の概要】
【発明が解決しようとする課題】
【０００７】
ところで、ＰＤＰはＳＦによって階調を表現するため、図１９に示すように、ＳＦの維持パルス数を、１、２、４、６、１２…というように重み付けし、入力階調に対応したＳＦの組合せを点灯させている。なお、図１９は、８ＳＦ、最大階調１３５の例であり、図中の空白は非点灯状態を示し、「１」は点灯状態を示す。
【０００８】
ここで、従来、ＰＤＰにおいては、非点灯のＳＦが連続して存在する場合、横クロストークと呼ばれる現象の影響を受けて放電セルが不点灯になるという課題が発生する場合があった。具体的には、図２０に示す、例えば階調「４」は、ＳＦ１とＳＦ２とを連続して不点灯にし、ＳＦ３を点灯することにより表現される。このような場合、横クロストークの影響によりＳＦ３が不点灯になりやすい。
【０００９】
ここで横クロストークの現象について詳しく説明する。ＰＤＰの放電セルは隔壁によって隔離されているが、実際は前面板と背面板の隔壁との間に数μｍの隙間がある。したがって、図２１に示すように、混色時に隣接する放電セル間において互いに放電が干渉する。そしてこのような現象を「横クロストーク」（「横ＸＴ」とも呼ぶ）と呼んでいる。
【００１０】
横クロストークの影響について詳しく説明する。ＰＤＰは、書込み放電を発生させることによってＳＦの点灯又は不点灯を選択している。例えば、Ｒ（赤）・Ｇ（緑）・Ｂ（青）放電セルに書込み放電を同時に発生させた場合、Ｒ・Ｂ放電セルからプライミング粒子がＧ放電セルに飛び込むため、Ｇ放電セルが書込み放電（点灯）しやすくなる。逆に、図２２に示すように各ＳＦにおいてＲ・Ｇ・Ｂ放電セルが点灯した場合、ＳＦ３でＧ放電セルに蓄積された壁電荷がＲ・Ｂ放電セルからのプライミング粒子によって奪われるため、続くＳＦ４のＧ放電セルが書込み不良（不点灯）しやすくなる。このように横クロストークの影響によって点灯・非点灯の状態制御が困難となってしまう場合がある。
【００１１】
そして、このような横クロストークの影響を最も受ける放電セルは、Ｇ放電セルであり、ＲとＢの放電セルはさほど横クロストークの影響を受けない。なぜなら、Ｇは視感度が高く、点灯ミスが発生すると視覚的に目立つからである。また、視覚的な面だけではなく、Ｇの蛍光体材料は、Ｒ・Ｂの蛍光体材料とは異なる極性（負）に蛍光体表面が帯電するため、Ｒ及びＢの放電セルによりＧの放電セルの壁電荷の状態が影響を受けやすくなっているという面もある。
【００１２】
そこで、従来のＰＤＰにおいては、横クロストークによる課題を回避するために、図１９に示す階調のうち、図２０おいて斜線部で示すような、連続した非点灯のＳＦを有する階調を除いた階調（例えば、図２３に示すような階調）を時間的に又は空間的に混合させる方法（例えば、ディザあるいは誤差拡散）により、実際に表現したい階調を表現する。具体的には、例えば階調「４」を表現したい場合、階調「３」と階調「５」とを時間的に又は空間的に交互に表現することにより、階調「４」を表現している。
【００１３】
ここで、以上のような構成のＰＤＰにおいては、階調特性を整えるため、ＲＧＢごとに入力階調に対する輝度を測定し、ＲＧＢそれぞれのＬＵＴ（ルックアップテーブル：Ｌｏｏｋ−Ｕｐ  Ｔａｂｌｅ）を調整することによって発光輝度特性の補正を行うことが行われる。
【００１４】
ところで、近年、大画面のＰＤＰを高画質化し、プロ用機器（マスタモニタ、ポスプロモニタなど）に用いたいという要望が高まっている。プロ用機器の認定基準は様々あり、例えば色温度５６００Ｋの白色を表示する場合において、入力階調２５５階調中５０階調目以上の階調の色度ずれ（目標色度と実測色度の差）を±０．００２以内に抑えるという基準がある。ＰＤＰはＲＧＢのＳＦを同じように点灯させた場合、色温度９０００Ｋの白色となる。このように色温度９０００Ｋの白色をＰＤＰが表示する場合、図２４に示すように色度ずれは許容範囲内である。
【００１５】
しかしながら、色温度を５６００Ｋに下げるためにＢの輝度を下げた場合、図２５に示すように中間階調から高階調で色度が振動し、色度ずれが許容範囲外になってしまう。
【００１６】
これは横クロストークの影響によって、単色よりも混色が点灯しやすくなったからである。つまり、ＰＤＰはＬＵＴによってＲＧＢの単色毎に入力輝度と出力輝度との関係を整えているが、混色になると放電セルが放電しやすくなって、単色時よりも輝度が出過ぎてしまうからである（そういう観点では、ＰＤＰは厳密には加法混色が成立しないと言える）。
【００１７】
詳述すると、図２４に示すように色温度９０００Ｋの白色は中間階調から高階調において輝度ずれ（要求輝度値と実測輝度値の差）が発生するが、ＲＧＢがバランスよく輝度ずれを起こしているため、色度ずれが発生しない。一方、色温度５６００Ｋの白色は、入力階調に対してＢのＳＦの点灯状況がＲＧと異なるため、ＢとＲＧの輝度ずれのバランスが崩れ、色度ずれが発生している。
【００１８】
白色の色度ずれは判別しやすく、図２５に示すように現状の色度ずれは±０．００３に達し、白色の色度ずれが目立つため、ＰＤＰをポスプロモニタとして使用できないという課題が発生する場合があった。
【００１９】
本発明は、このような状況に鑑みなされたものであり、サブフィールド法を用いて画像を表示する際に、横クロストークの影響を抑制しつつ、輝度ずれ及び色度ずれの少なくとも一方を大幅に抑制することが可能な画像表示装置及び色信号補正装置等を提供することを目的とする。
【課題を解決するための手段】
【００２０】
上記目的を達成するために、本発明の一態様である画像表示装置は、赤緑青の各色の色信号にしたがって、赤緑青の各色の発光体からそれぞれなる複数の画素をサブフィールド法を用いて発光させることにより画像を表示する画像表示装置であって、赤緑青の各色の色信号が示す輝度に対応づけて、複数のサブフィールドのうち点灯させるサブフィールドを示す点灯パターンが格納されたＳＦ変換テーブルを、色ごとに記憶しているＳＦ変換テーブル記憶部と、前記ＳＦ変換テーブル記憶部に記憶された色ごとのＳＦ変換テーブルを参照することにより、入力された各色の色信号が示す輝度に対応する点灯パターンを取得し、取得した点灯パターンにしたがって色ごとに点灯信号を生成するＳＦ変換部と、前記ＳＦ変換部によって生成された点灯信号にしたがって、前記発光体を発光させることにより画像を表示する画像表示部とを備え、青色及び赤色の少なくとも一方の前記ＳＦ変換テーブルに格納される点灯パターンの種類数は、緑色の前記ＳＦ変換テーブルに格納される点灯パターンの種類数よりも多い。
【００２１】
これにより、横クロストークの影響を受けにくい青色及び赤色の少なくとも一方の点灯パターンの種類数を、横クロストークの影響を受けやすい緑色の点灯パターンの種類数よりも多くすることができるので、横クロストークの発生を抑制しつつ、表示可能な階調数を増加させることができる。したがって、中間階調の輝度ずれ及び色度ずれを効果的に抑制することが可能となる。また、表示可能な階調数を増加させることで、白色の輝度ずれ及び色度ずれも抑制することが可能となる。
【００２２】
また、前記ＳＦ変換テーブルには、複数のサブフィールドのうち選択された少なくとも１つのサブフィールドが所定の閾値より大きいすべての輝度に対して点灯することを示す点灯パターンが格納されることが好ましい。
【００２３】
これにより、横クロストークの影響を受けやすい高精細パネルにおいても、横クロストークの発生を抑制しつつ、表示可能な階調数を増加させることができる。したがって、特に、高精細パネルにおける中間階調の輝度ずれ及び色度ずれを効果的に抑制することが可能となる。
【００２４】
また、前記画像表示部は、走査電極及び維持電極からなる表示電極を有する前面基板と、データ電極を有し、前記表示電極に対して前記データ電極が交差するように前記前面基板と対向する位置に配置された背面基板とを備え、対向する前記前面基板及び前記背面基板の間に複数の放電セルが構成され、前記サブフィールド法における１ＴＶフィールドは、前記複数の放電セルの少なくとも１つを初期化放電する初期化期間と、前記複数の放電セルのうち点灯すべき放電セルをアドレス放電する書込み期間と、アドレス放電された前記放電セルを維持放電する維持期間とをそれぞれ有する複数のサブフィールドから構成され、前記複数のサブフィールドのうち少なくとも１つのサブフィールドは、前記複数の放電セルのすべてを初期化放電する全セル初期化放電期間を有し、前記ＳＦ変換テーブルには、所定の閾値より大きいすべての輝度に対して複数のサブフィールドのうち全セル初期化放電期間を有するサブフィールドが点灯することを示す点灯パターンが格納されることが好ましい。
【００２５】
これにより、ＰＤＰの初期化放電の方法に応じて点灯させるサブフィールドを制御できるので、より効果的に輝度ずれ及び色度ずれを抑制することが可能となる。
【００２６】
また、さらに、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データが、当該色の入力色信号の示す輝度に対応づけて格納された色度補正テーブルを記憶している色度補正テーブル記憶部と、前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、前記色度補正テーブル記憶部に記憶されている色度補正テーブルを参照することにより、青色及び赤色の少なくとも一方の入力色信号に対応する色度補正データを取得する色度補正データ取得部と、前記発光特性補正部によって補正された後の各色の色信号のうち前記色度補正データ取得部によって取得された色度補正データに対応する色の色信号を、当該色度補正データを用いて補正する色度補正部とを備え、前記ＳＦ変換部は、前記色度補正部によって補正された後の色信号の輝度に対応する点灯パターンを取得することが好ましい。
【００２７】
これにより、赤緑青を混色して表現される白色を表示したときの色度ずれに基づいて色信号を補正することができるので、サブフィールド法を用いて白色を表示する場合の色度ずれを抑制することができる。さらに、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。
【００２８】
また、さらに、前記各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部を備えることが好ましい。
【００２９】
これにより、表示色度と目標色度との差分に基づいて、色度補正データを算出することが可能となるので、より高精度に色度ずれを補正することが可能となる。
【００３０】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより青色の入力色信号が示す輝度に対応する色度補正データを取得し、前記色度補正部は、前記発光特性補正部によって補正された後の青色の色信号を、前記色度補正データ取得部によって取得された色度補正データを用いて補正することが好ましい。
【００３１】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために青色の色信号を補正するので、例えば色温度が９０００Ｋ未満の白色における色度ずれを効果的に抑制することが可能となる。
【００３２】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより赤色の入力色信号が示す輝度に対応する色度補正データを取得し、前記色度補正部は、前記発光特性補正部によって補正された後の赤色の色信号を、前記色度補正データ取得部によって取得された色度補正データを用いて補正することが好ましい。
【００３３】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色の色信号を補正するので、例えば色温度が９０００Ｋ以上の白色における色度ずれを効果的に抑制することが可能となる。
【００３４】
また、前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、前記色度補正データ取得部は、前記色度補正テーブルを参照することにより青色及び赤色の入力色信号が示す輝度に対応する色度補正データのそれぞれを取得し、前記色度補正部は、前記色度補正データ取得部によって取得された色度補正データを用いて、前記発光特性補正部によって補正された後の青色及び赤色の色信号のそれぞれを補正することが好ましい。
【００３５】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色及び青色の色信号を補正するので、より高精度に色度ずれを抑制することが可能となる。
【００３６】
また、前記所定の係数αは、１００以下のあらかじめ定められた値であることが好ましい。
【００３７】
これにより、適切な値の係数αを用いて色度補正データを算出できるので、高精度に色度ずれを抑制することが可能となる。
【００３８】
また、前記色度補正部は、前記各色の入力色信号が示す輝度レベルが略一致している場合に、色信号を補正することが好ましい。
【００３９】
これにより、赤緑青を混色して表示する場合に、効率的に色度ずれを抑制することが可能となる。すなわち、赤緑青を混色して表示しない場合、つまり横クロストークによる色度ずれが発生しにくい場合には、色度ずれを抑制するための処理を行わず、輝度ずれを抑えることが可能となる。つまり、白色が表示される際に色度ずれが生じず、赤緑青のいずれかの単色が表示される際に輝度ずれが生じないようにすることが可能となる。
【００４０】
また、前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正することが好ましい。
【００４１】
これにより、色度ずれを補正する又は補正しないが切り替えられる際の急激な輝度あるいは色度の変動を抑制することが可能となる。
【００４２】
また、本発明の一態様である色信号補正装置は、赤緑青の各色の発光体からそれぞれなる複数の画素をサブフィールド法を用いて発光させることにより画像を表示する画像表示部へ出力される赤緑青の各色の色信号を補正する色信号補正装置であって、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データを当該色の入力色信号の示す輝度に対応づけて格納するための色度補正テーブルを記憶している色度補正テーブル記憶部と、赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部と、前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、前記色度補正テーブル記憶部に記憶されている色度補正テーブルを参照することにより、青色及び赤色の少なくとも一方の入力色信号に対応する色度補正データを取得する色度補正データ取得部と、前記発光特性補正部によって補正された後の各色の色信号のうち前記色度補正データ取得部によって取得された色度補正データに対応する色の色信号を、当該色度補正データを用いて補正する色度補正部とを備える。
【００４３】
これにより、赤緑青を混色して表現される白色を表示したときの色度ずれに基づいて色信号を補正することができるので、サブフィールド法を用いて画像表示装置に白色を表示する場合の色度ずれを抑制することができる。さらに、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。
【００４４】
さらに、表示色度と目標色度との差分に基づいて、色度補正データを算出することが可能となるので、より正確に色度ずれを補正することが可能となる。
【００４５】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより青色の入力色信号が示す輝度に対応する色度補正データを取得し、前記色度補正部は、前記発光特性補正部によって補正された後の青色の色信号を、前記色度補正データ取得部によって取得された色度補正データを用いて補正することが好ましい。
【００４６】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために青色の色信号を補正するので、例えば色温度が９０００Ｋ未満の白色における色度ずれを効果的に抑制することが可能となる。
【００４７】
また、前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、前記色度補正データ取得部は、前記色度補正テーブルを参照することにより赤色の入力色信号が示す輝度に対応する色度補正データを取得し、前記色度補正部は、前記発光特性補正部によって補正された後の赤色の色信号を、前記色度補正データ取得部によって取得された色度補正データを用いて補正することが好ましい。
【００４８】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色の色信号を補正するので、例えば色温度が９０００Ｋ以上の白色における色度ずれを効果的に抑制することが可能となる。
【００４９】
また、前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、前記色度補正データ取得部は、前記色度補正テーブルを参照することにより青色及び赤色の入力色信号が示す輝度に対応する色度補正データのそれぞれを取得し、前記色度補正部は、前記色度補正データ取得部によって取得された色度補正データを用いて、前記発光特性補正部によって補正された後の青色及び赤色の色信号のそれぞれを補正することが好ましい。
【００５０】
これにより、実際に画像を画像表示部に表示させたときの色度ずれから、輝度に応じた色度補正データを容易に算出することができる。つまり、入力色信号が示す輝度が低い領域において色度を大きく調整しないように注意する必要がない。また、色度ずれを補正するために赤色及び青色の色信号を補正するので、より高精度に色度ずれを抑制することが可能となる。
【００５１】
また、前記色度補正部は、前記各色の入力色信号が示す輝度レベルが略一致している場合に、色信号を補正することが好ましい。
【００５２】
これにより、赤緑青を混色して表示する場合に、効率的に色度ずれを抑制することが可能となる。すなわち、赤緑青を混色して表示しない場合、つまり横クロストークによる色度ずれが発生しにくい場合には、色度ずれを抑制するための処理を行わず、輝度ずれを抑えることが可能となる。つまり、白色が表示される際に色度ずれが生じず、赤緑青のいずれかの単色が表示される際に輝度ずれが生じないようにすることが可能となる。
【００５３】
また、前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正することが好ましい。
【００５４】
これにより、色度ずれを補正する又は補正しないが切り替えられる際の急激な輝度あるいは色度の変動を抑制することが可能となる。
【００５５】
また、本発明の一態様である色信号補正方法は、赤緑青の各色の発光体からそれぞれなる複数の画素をサブフィールド法を用いて発光させることにより画像を表示する画像表示部へ出力される赤緑青の各色の色信号を補正する色信号補正装置において用いられる色信号補正方法であって、前記色信号補正装置は、前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、青色及び赤色の少なくとも一方の色信号を補正するための色度補正データが、当該色の入力色信号の示す輝度に対応づけて格納された色度補正テーブルを記憶している色度補正テーブル記憶部とを備え、前記色信号補正方法は、赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出ステップと、前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正ステップと、前記色度補正テーブル記憶部に記憶されている色度補正テーブルを参照することにより、青色及び赤色の少なくとも一方の入力色信号に対応する色度補正データを取得する色度補正データ取得ステップと、前記発光特性補正ステップにおいて補正された後の各色の色信号のうち前記色度補正データ取得ステップにおいて取得された色度補正データに対応する色の色信号を、当該色度補正データを用いて補正する色度補正ステップとを含む。
【００５６】
これにより、上記の色信号補正装置と同様の効果を奏することができる。
【発明の効果】
【００５７】
本発明によれば、サブフィールド法を用いて画像を表示する際に、横クロストークの影響を抑制しつつ、輝度ずれ及び色度ずれの少なくとも一方を大幅に抑制することが可能な画像表示装置及び色信号補正装置等を提供することができる。
【図面の簡単な説明】
【００５８】
【図１】図１は、本発明の一実施の形態による色信号補正方法及びそれを具現化する本発明の一実施の形態による色信号補正装置により画像表示を行う、本発明の一実施の形態である画像表示装置の一例であるＰＤＰの概略構成を示す断面斜視図である。
【図２】図２は、本発明の実施の形態１における色信号補正装置の機能構成を示すブロック図である。
【図３】図３は、本発明の実施の形態１における色度補正テーブルの一例を示す図である。
【図４Ａ】図４Ａは、本発明の実施の形態１における色信号補正装置の機能構成のうち、第１ステップの処理を実行する際に必要な機能構成を示すブロック図である。
【図４Ｂ】図４Ｂは、本発明の実施の形態１における色信号補正装置の機能構成のうち、第２ステップの処理を実行する際に必要な機能構成を示すブロック図である。
【図５Ａ】図５Ａは、本発明の実施の形態１における第１ステップの処理の流れを示すフローチャートである。
【図５Ｂ】図５Ｂは、本発明の実施の形態１における第２ステップの処理の流れを示すフローチャートである。
【図６】図６は、本発明の実施の形態１における色度補正装置による色信号の補正結果を示す図である。
【図７】図７は、本発明の実施の形態２における色信号補正装置の機能構成を示すブロック図である。
【図８】図８は、本発明の実施の形態３における色信号補正装置による補正処理を説明するための図である。
【図９】図９は、本発明の実施の形態３における色信号補正装置の機能構成を示すブロック図である。
【図１０】図１０は、本発明の実施の形態４における色信号補正装置の機能構成を示すブロック図である。
【図１１】図１１は、本発明の実施の形態５における画像表示装置の機能構成を示す図である。
【図１２Ａ】図１２Ａは、本発明の実施の形態５におけるＧＳＦ変換テーブルの一例を示す図である。
【図１２Ｂ】図１２Ｂは、本発明の実施の形態５におけるＲＳＦ変換テーブル及びＢＳＦ変換テーブルの一例を示す図である。
【図１３】図１３は、全セル初期化による横クロストークの発生を説明するための図である。
【図１４】図１４は、本発明の実施の形態６における画像表示装置の機能構成を示す図である。
【図１５Ａ】図１５Ａは、本発明の実施の形態６におけるＧＳＦ変換テーブルの一例を示す図である。
【図１５Ｂ】図１５Ｂは、本発明の実施の形態６におけるＲＳＦ変換テーブル及びＢＳＦ変換テーブルの一例を示す図である。
【図１６Ａ】図１６Ａは、本発明の実施の形態６におけるＧＳＦ変換テーブルを説明するための図である。
【図１６Ｂ】図１６Ｂは、本発明の実施の形態６におけるＲＳＦ変換テーブル及びＢＳＦ変換テーブルを説明するための図である。
【図１７】図１７は、本発明の変形例における画像表示装置の機能構成を示すブロック図である。
【図１８】図１８は、ＳＦの構成を説明するための図である。
【図１９】図１９は、従来のＳＦ変換テーブルの一例を示す図である。
【図２０】図２０は、横クロストークによる課題を回避するために用いられるＳＦ変換テーブルを説明するための図である。
【図２１】図２１は、横クロストークの原理を示す図である。
【図２２】図２２は、横クロストークの発生パターンを示す図である。
【図２３】図２３は、横クロストークによる課題を回避するために用いられるＳＦ変換テーブルの一例を示す図である。
【図２４】図２４は、従来の、色温度９０００Ｋにおける各色の輝度ずれと白色の色度ずれとを示す図である。
【図２５】図２５は、従来の、色温度５６００Ｋにおける各色の輝度ずれと白色の色度ずれとを示す図である。
【発明を実施するための形態】
【００５９】
以下、本発明の実施の形態による色信号補正装置、色信号補正方法及び画像表示装置について、図面を用いて説明する。なお、本発明の実施の態様はこれに限定されるものではない。
【００６０】
（実施の形態１）
図１は、本発明の一実施の形態による色信号補正方法及びそれを具現化する本発明の一実施の形態による色信号補正装置により画像表示を行う、本発明の一実施の形態である画像表示装置の一例であるＰＤＰの概略構成を示す断面斜視図である。
【００６１】
図１に示すように、ＰＤＰは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００６２】
また、背面基板２上には絶縁体層７で覆われた複数のデータ電極８が設けられ、その絶縁体層７上には井桁状の隔壁９ａが設けられている。また、絶縁体層７の表面および隔壁９ａの側面に蛍光体層９ｂが設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００６３】
次に、上述した本発明の一実施の形態による画像表示装置であるＰＤＰを駆動するための発明の一実施の形態による色信号補正装置、色信号補正方法について、以下、説明する。
【００６４】
（色信号補正装置）
図２は、本発明の実施の形態１における色信号補正装置の機能構成を示すブロック図である。
【００６５】
色信号補正装置１０は、それぞれ異なる色に発光する複数の発光体のそれぞれに対応した複数色の色信号（Ｒａ、Ｇａ、Ｂａ）に、各色の発光体の発光輝度特性を補正するための補正処理を行う装置である。すなわち、色信号補正装置１０は、画像表示部へ出力される、赤緑青の各色の色信号を補正する。なお、画像表示部は、赤緑青の各色の点灯及び非点灯を繰り返すことにより中間階調を表示するサブフィールド法を用いて各発光体を発光させることにより画像を表示する。色信号補正装置１０は、ＬＵＴ記憶部１１と、発光特性補正部１２と、色度補正テーブル記憶部１３と、色度補正データ取得部１４と、色度補正部１５と、色度補正データ算出部１６とを備える。
【００６６】
（ＬＵＴ記憶部１１）
ＬＵＴ記憶部１１は、各色の発光体の発光輝度特性を補正するための発光輝度特性補正データが各色の入力色信号が示す輝度に対応づけて格納された赤緑青の各色用ＬＵＴ１１ａを記憶している。
【００６７】
（発光特性補正部１２）
発光特性補正部１２は、発光体の輝度飽和などの発光特性を補正するために、各色用ＬＵＴ１１ａを参照することにより各色の入力色信号が示す輝度に対応する発光輝度特性補正データを取得する。そして、発光特性補正部１２は、取得した発光輝度特性補正データを用いて前記各色の入力色信号を補正する。つまり、発光特性補正部１２は、赤緑青の各色の入力色信号の輝度レベル（Ｒａ、Ｇａ、Ｂａ）に対する各色の出力色信号の輝度レベル（Ｒｄ、Ｇｄ、Ｂｃ）を、表示部を構成する各画素の発光輝度に応じて変更することにより、入力色信号の輝度レベルに対する画像表示部の発光輝度が線形になるように補正する処理部であり、非線形補正回路が好適に用いられる。
【００６８】
なお、発光特性補正部１２は、逆ガンマ処理又はカットオフ・ドライブの機能を備えてもよい。また、発光特性補正部１２は、逆ガンマ処理又はカットオフ・ドライブの機能を備える処理部によって処理された後の色信号を補正してもよい。
【００６９】
（色度補正テーブル記憶部１３）
色度補正テーブル記憶部１３は、色度補正データ算出部１６によって算出された色度補正データ（以下、色度補正値ともいう。）が格納された色度補正テーブル１３ａを記憶する。色度補正テーブル１３ａは、青色の色信号を補正するための色度補正値が、青色の入力色信号の示す輝度レベル（Ｂａ）に対応づけて格納される。
【００７０】
図３は、色度補正テーブルの一例を示す図である。図３に示すように、色度補正テーブル１３ａには、青色の入力色信号の輝度レベル（Ｂａ）に対して非線形な色度補正値（Ｂｂ）が格納されている。
【００７１】
（色度補正データ取得部１４）
色度補正データ取得部１４は、色度補正テーブル記憶部１３に記憶されている色度補正テーブル１３ａを参照することにより、青色の入力色信号が示す輝度レベル（Ｂａ）に対応する色度補正値を取得する。
【００７２】
（色度補正部１５）
色度補正部１５は、白色の入力色信号の輝度レベルの変化に連動した色度の変動を抑制するための処理部である。つまり、色度補正部１５は、発光特性補正部１２によって補正された後の各色の色信号のうち青色の色信号を、色度補正データ取得部１４によって取得された色度補正データを用いて補正する。具体的には、色度補正部１５は、色度補正データ取得部１４によって取得された、青色の入力色信号の輝度レベル（Ｂａ）に対応する色度補正値（Ｂｂ）を、発光特性補正部１２によって補正された後の青色の色信号の輝度レベル（Ｂｃ）に付加（加算）することにより、輝度レベル（Ｂｃ）を輝度レベル（Ｂｄ）に補正する。
【００７３】
（色度補正データ算出部１６）
色度補正データ算出部１６は、色度補正部１５などによって色信号が補正される前に、色度補正テーブルに格納する色度補正データを算出する処理部である。具体的には、色度補正データ算出部１６は、白色の輝度レベルを０〜２５５まで変えた場合にｙの色度ずれと白色の輝度レベルとを乗算し、さらに係数αを乗算した値である色度補正値を算出する。すなわち、色度補正データ算出部１６は、目標色度のｙ座標と、測定された表示色度のｙ座標との差分値を目標色度が示す白色の輝度レベルと乗算する。そして、色度補正データ算出部１６は、乗算した値をさらに係数α倍した値を、色度補正値として算出する。さらに、色度補正データ算出部１６は、算出した色度補正値を青色の色信号が示す輝度レベルに対応づけて色度補正テーブル１３ａへ格納する。
【００７４】
ここで、係数αは、正の実数である。なお、係数αは、１００以下のあらかじめ定められた正の固定値であることが好ましい。また、色度ずれに白色の輝度を乗算したのは、同じ色度ずれの値でも輝度が暗ければＢの輝度補正を弱くし、輝度が明るければＢの輝度補正を強くしなければならないからである。
【００７５】
なお、色温度５６００Ｋの白色では、色度ずれｙと色度ずれｘとがほぼ同様に変動しているため、色度補正データ算出部１６は、色度ずれｘを用いて青色の色度補正データを算出してもよい。
【００７６】
次に、以上のように構成された色信号補正装置１０の動作について説明する。
【００７７】
色信号補正装置１０は、色度補正データ算出部１６を用いて色度補正テーブル１３ａを作成して色度補正テーブル記憶部１３に格納する第１ステップと、色度補正テーブル記憶部１３に格納した色度補正テーブル１３ａを参照して色度補正を行う第２ステップとで使用する構成が異なる。具体的には、第１ステップでは、図４ＡのようにＬＵＴ記憶部１１と、発光特性補正部１２と、色度補正データ算出部１６と、色度補正テーブル記憶部１３とを使用する。また、第２ステップでは、図４ＢのようにＬＵＴ記憶部１１と、発光特性補正部１２と、色度補正テーブル記憶部１３と、色度補正データ取得部１４と、色度補正部１５とを使用する。
【００７８】
図５Ａは、本発明の実施の形態１において、第１ステップの処理の流れを示すフローチャートである。なお、第１ステップの処理は作業者が行ってもよい。
【００７９】
まず、白色を表示するウィンドウ領域（画像表示部に含まれる画面の全部又は一部の領域）を決定する（ステップＳ１０１）。例えば、画面の中央に位置し、画面全体の面積の１０〜３０％の面積となる矩形領域を、白色を表示するウィンドウ領域として決定する。
【００８０】
次に、色度補正データを生成する白色の色温度を決定し、色度補正データ算出部１６に入力する（ステップＳ１０２）。例えば、リモコン等によって白色の色温度を入力する。なお、あらかじめ保持された色温度に従って色温度を決定してもよい。
【００８１】
次に、ウィンドウ領域に表示される白色の色温度を入力した色温度に略一致させる（ステップＳ１０３）。あらかじめ保持されていない色温度を新たに入力した場合は、色信号のカットオフ・ドライブの機能を使用してＲＧＢの色信号比率を変えて略一致させる。なお、発光特性補正部の各色用ＬＵＴを直接変更して白色の色温度を略一致させてもよい。
【００８２】
次に、係数αを決定し、色度補正データ算出部１６に入力する（ステップＳ１０４）。例えば、あらかじめ保持された初期値（例えば、「４０」など）を係数αとして決定すればよい。
【００８３】
次に、画像表示装置は、階調を変更しながら全ての階調に対して、以下のステップＳ１０５からステップＳ１０７までの処理を繰り返す。具体的には、画像表示装置は、例えば、０〜２５５まで、徐々に階調を上げながら処理を実行する。
【００８４】
画像表示部を有する画像表示装置は、略一致された色温度の白色の画像を、決定されたウィンドウ領域に表示する（ステップＳ１０５）。このとき、画像表示装置は、発光特性補正部１２によって補正された後の入力色信号に従って画像を表示している。
【００８５】
色度補正データ算出部１６は、ウィンドウ領域に表示された白色の画像の色度であって実際に測定された色度を表示色度として取得する。さらに、色度補正データ算出部１６は、ウィンドウ領域に表示された画像の輝度レベルであって実際に測定された輝度レベルを取得する（ステップＳ１０６）。
【００８６】
そして、色度補正データ算出部１６は、取得した表示色度のｙ座標の値と、ステップＳ１０２において決定された色温度に基づく色度（目標色度）のｙ座標の値との差分値を、階調ごとに算出する（ステップＳ１０７）。さらに、色度補正データ算出部１６は、算出した差分値と、取得した輝度レベルと、決定した係数αとを乗じた値を、色度補正値として階調ごとに算出する（ステップＳ１０８）。
【００８７】
このように算出された色度補正値が、対応する階調と色温度によって特定される青色の入力色信号が示す輝度レベルに対応づけて色度補正テーブル１３ａに格納される（ステップＳ１０９）。
【００８８】
なお、色度補正データ算出部１６は、階調に係わらず１つの係数αを決定していたが、階調ごとに係数αを決定してもよい。その場合、ステップＳ１０４は、ループ内に含まれる。
【００８９】
また、色度補正データ算出部１６は、複数の係数αのそれぞれについて色度補正値候補を算出し、色度補正テーブル候補に格納してもよい。この場合、色度補正データ算出部１６は、色度補正テーブル候補の中から、最も目標色度と表示色度との差分が小さくなる色度補正テーブル候補を色度補正テーブルとして選択すればよい。
【００９０】
また、ステップＳ１０２において、色温度の代わりに、白色の色度（ｘ座標及びｙ座標）が決定されてもよい。その場合、ステップＳ１０３では、ウィンドウ領域に表示される白色の色度を入力した色度に略一致させる。また、ステップＳ１０７において、色度補正データ算出部１６は、取得した表示色度のｙ座標の値と、ステップＳ１０２において決定された色度（目標色度）のｙ座標の値との差分値を、階調ごとに算出する。
【００９１】
以上のステップＳ１０１〜Ｓ１０９の処理により、色度補正テーブル１３ａに色度補正値が格納される。
【００９２】
図５Ｂは、本発明の実施の形態１において、第２ステップの処理の流れを示すフローチャートである。
【００９３】
発光特性補正部１２は、ＬＵＴ記憶部１１に記憶された各色用ＬＵＴ１１ａを参照することにより各色の入力色信号が示す輝度に対応する発光輝度特性補正データを取得する。そして、発光特性補正部１２は、取得した発光輝度特性補正データを用いて、各色の入力色信号を補正する（ステップＳ２０１）。具体的には、発光特性補正部１２は、各色用ＬＵＴに格納された、各色の入力色信号が示す輝度レベル（例えば、「１００」）に対応する発光輝度特性補正値（例えば、「９５」）を補正後の色信号として生成する。
【００９４】
そして、色度補正データ取得部１４は、色度補正テーブル記憶部１３に記憶されている色度補正テーブル１３ａを参照することにより、青色の入力色信号に対応する色度補正値を取得する（ステップＳ２０２）。例えば、色度補正データ取得部１４は、図３に示す色度補正テーブル１３ａを参照することにより、入力色信号の輝度レベル「１００」に対応する色度補正値「−５」を取得する。
【００９５】
最後に、色度補正部１５は、発光特性補正部１２によって補正された後の青色の色信号を、色度補正データ取得部１４によって取得された色度補正データを用いて補正する（ステップＳ２０３）。具体的には、色度補正部１５は、例えば、補正後の色信号の輝度レベル「９５」に色度補正値「−５」を加算する。
【００９６】
以上のような色信号補正装置１０をＰＤＰ（画像表示部）を備える画像表示装置に搭載し、実際に画像の表示を行ったところ、従来からの課題であった白色の階調特性において、図６に示すように色度の変動を抑えることができた。このときの係数αは４０であった。そして、画像表示装置は、自然画像についても、良好な画像を表示することができた。なお、係数αは、１００以下の正の実数の場合に比較的良好な効果が得られる。特に４０の場合には良好な実験結果が得られた。
【００９７】
以上のように、本実施の形態における色信号補正装置１０は、赤緑青を混色して表現される白色を表示したときの色度ずれに基づいて色信号を補正することができるので、サブフィールド法を用いて白色を表示する場合の色度ずれを抑制することができる。さらに、色信号補正装置１０は、あらかじめ記憶された各色用ＬＵＴを用いて補正した後の色信号の一部を補正することにより色度ずれを抑制することができるので、ＬＵＴの変更を最小限にすることができ、輝度ずれも抑制することができる。
【００９８】
また、色信号補正装置１０は、表示色度と目標色度との差分に基づいて、輝度に応じた色度補正データを容易に算出することができる。つまり、色信号補正装置１０は、算出した色度補正データを用いることにより、輝度が低い入力色信号に対して色度および輝度を大きく変更することなく補正することができる。また、色信号補正装置１０は、色度ずれを補正するために青色の色信号を補正するので、例えば色温度が９０００Ｋ未満の白色における色度ずれを効果的に抑制することが可能となる。
【００９９】
なお、色温度が９０００Ｋより高い場合は、色度補正部１５は、赤色の色信号を補正することが好ましい。これは、白色の色温度が９０００Ｋより低い場合は、青色の影響が大きく、白色の色温度が９０００Ｋより高い場合は、赤色の影響が大きいからである。なお、赤色の色信号を補正する場合、色信号補正装置１０は、上述した青色の色信号を補正する場合の青色を赤色に変更すればよい。
【０１００】
また、本実施の形態では、色信号補正装置１０が色度補正データ算出部１６を備えていたが、必ずしも色信号補正装置１０が色度補正データ算出部１６を備えなくてもよい。その場合、色信号補正装置１０は、例えば、コンピュータ等よってあらかじめ算出された色信号補正データを色度補正テーブル記憶部１３に記憶すればよい。
【０１０１】
また、本実施の形態では、色度補正テーブル記憶部１３が色度補正テーブル１３ａを記憶していたが、色度補正テーブル１３ａに格納された色度補正データを青色用ＬＵＴに反映させてもよい。この場合、色信号補正装置１０は、色度補正テーブル記憶部１３、色度補正データ取得部１４及び色度補正部１５を備えなくてもよい。
【０１０２】
（実施の形態２）
次に、本発明の実施の形態２について説明する。
【０１０３】
実施の形態１における色信号補正装置１０は白色の色度の変動を抑制するために、Ｂの色信号を色度補正データを用いて補正した。しかし、各色の入力色信号によって特定される画素の色がＢ単色の場合に色度補正データを用いて補正したとき、Ｂの輝度ずれが発生する。そこで、実施の形態２における色信号補正装置２０は、図７に示すように、さらに色度補正切替部２１を備える。
【０１０４】
図７は、本発明の実施の形態２における色信号補正装置の機能構成を示すブロック図である。図７において、図２と同様の構成要素については、同一の符号を付し、説明を省略する。
【０１０５】
（色度補正切替部２１）
色度補正切替部２１は、ＲＧＢの各色の入力色信号間の輝度レベルのバランスに応じて、色度補正部２２に色信号の補正をさせるか否かを切り替える。具体的には、ＲＧＢの各色の入力色信号が示す輝度レベルが略一致している場合に、色度補正切替部２１は、例えば、「１」を示す切替信号を色度補正部２２に出力する。一方、ＲＧＢの各色の入力色信号が示す輝度レベルが略一致していない場合に、色度補正切替部２１は、例えば、「０」を示す切替信号を色度補正部２２に出力する。ここで、略一致とは、厳密に一致していることに加えて、一致していると同視できる程度に近似していることを示す。具体的には、略一致とは、各色の入力色信号間の輝度レベルの各差分値があらかじめ定められた基準値を超えないことをいう。
【０１０６】
（色度補正部２２）
色度補正部２２は、各色の入力色信号が示す輝度レベルが略一致している場合に、色信号を補正する。具体的には、色度補正部２２は、例えば、色度補正データ取得部１４によって取得された色度補正値Ｂｂに、色度補正切替部２１によって出力された切替信号が示す値Ｓｅｌを乗算する。そして、色度補正部２２は、乗算した後の値を発光特性補正部１２によって補正された後の青色の色信号の輝度レベルＢｃに加算する。
【０１０７】
以上のように、本実施の形態における色信号補正装置２０は、赤緑青を混色して表示する場合にのみ、効率的に色度ずれを抑制することが可能となる。すなわち、色信号補正装置２０は、赤緑青を混色して表示しない場合、つまり横クロストークによる色度ずれが発生しにくい場合には、色度ずれを抑制するための処理を行わず、輝度ずれを抑えることが可能となる。つまり、色信号補正装置２０は、白色が表示される際に色度ずれが生じず、赤緑青のいずれかの単色が表示される際に輝度ずれが生じないようにすることが可能となる。
【０１０８】
なお、各色の入力色信号によって特定される画素の色が白色に近い場合、色度補正部２２によって色信号を補正する又は補正しない（ＯＮ又はＯＦＦ）が繰り返し変更されることにより、ちらつきが認識されるほどに白色の色度が大きく変動する場合がある。そこで、色度補正部２２は、時間的に緩やかに色信号を補正する又は補正しないを切り替えることが好ましい。具体的には、色度補正部２２は、各色の入力色信号が示す輝度レベルが略一致したときから時間の経過とともに最大値まで徐々に大きくなる係数β（βは０以上１以下の実数）を色度補正データに乗算した値を用いて色信号を補正することが好ましい。
【０１０９】
なお、Ｂ単色が表示されたときの輝度ずれは画質的にはほとんど影響が無いため、色度補正部２２による補正処理の切替は必ずしも必要ではない。
【０１１０】
また、説明を省略したが、本実施の形態における色信号補正装置２０の動作は、実施の形態１における色信号補正装置１０の動作と同様に、第１ステップと第２ステップとに分けられる。つまり、色信号補正装置２０は、第１ステップにおいて、ＬＵＴ記憶部１１と、発光特性補正部１２と、色度補正データ算出部１６と、色度補正テーブル記憶部１３とを用いて、色度補正テーブル１３ａを作成して色度補正テーブル記憶部１３に格納する。また、色信号補正装置２０は、第２ステップにおいて、ＬＵＴ記憶部１１と、発光特性補正部１２と、色度補正テーブル記憶部１３と、色度補正データ取得部１４と、色度補正切替部２１と、色度補正部２２とを用いて、色度補正テーブル記憶部１３に格納された色度補正テーブル１３ａを参照して色度補正を行う。
【０１１１】
（実施の形態３）
次に、本発明の実施の形態３について説明する。
【０１１２】
実施の形態１における色信号補正装置１０は、色温度が低い場合に色度ずれｙの値を用いて青色の輝度レベルを調整して色度ずれを低減した。しかし、図８に示すように目標色度と表示色度とのずれの方向と、目標色度と青色を示す色度とを結ぶ方向とは若干ずれているため、青色の輝度レベルの調整だけでは、実施の形態１における色信号補正装置１０は完全には色度ずれを低減できない。よって、本実施の形態における色信号補正装置３０は、目標色度と実測された表示色度との差から、青色及び赤色の両方の輝度レベルを補正することにより、高精度に色度ずれを抑制する。
【０１１３】
図９は、本発明の実施の形態３における色信号補正装置の機能構成を示すブロック図である。図９において、図２と同様の構成要素については、同一の符号を付し、説明を省略する。
【０１１４】
図８に示すように、色度ずれベクトルＩ１は、目標色度１０１から表示色度１０２へ向かう方向に色度ずれが発生した場合の目標色度１０１のｘｙ座標から表示色度１０２のｘｙ座標へ向かうベクトルである。この色度ずれベクトルＩ１を抑えるためには、色度補正データ算出部３１は、色度ずれベクトルＩ１と逆方向のベクトルである色度抑制ベクトルＩ２（＝−Ｉ１）にしたがって、色信号が示す輝度を補正すればよい。この色度抑制ベクトルＩ２は、表示色度１０２のｘｙ座標から目標色度１０１のｘｙ座標へ向かうベクトルと一致する。
【０１１５】
（色度補正データ算出部３１）
そこで、色度補正データ算出部３１は、目標色度からＲ（例えば、波長６２０ｎｍ）を示す色度の方向と、目標色度からＢ（例えば、波長４７２ｎｍ）を示す色度の方向とに色度抑制ベクトルＩ２をベクトル分解する。そして、ベクトル分解後の各ベクトルの長さに目標色度が示す白色の輝度レベル及び係数αを乗算した値をＲ及びＢの色度補正データとして色度補正テーブル１３ｂ又は１３ａに格納する。なお、上記において、ベクトル分解及び乗算の順番はどちらが先でもよい。つまり、色度補正データ算出部３１は、乗算後、ベクトル分解してもよい。
【０１１６】
すなわち、色度補正データ算出部３１は、測定された表示色度のｘｙ座標から目標色度のｘｙ座標へ向かう色度抑制ベクトルを目標色度が示す白色の輝度レベル及び係数αと乗算してもよい。そして、色度補正データ算出部３１は、目標色度のｘｙ座標と青色及び赤色の色度を示すｘｙ座標とを結ぶ２つの線分の方向に乗算後のベクトルをベクトル分解してもよい。さらに、色度補正データ算出部３１は、ベクトル分解後の各ベクトルの大きさを青色及び赤色の色度補正データとして算出してもよい。
【０１１７】
（色度補正データ取得部３２）
このように色度補正データ算出部３１によって色度補正データが格納された色度補正テーブル１３ａ及び１３ｂを参照することにより、色度補正データ取得部３２は、青色及び赤色の色度補正データを取得する。
【０１１８】
（色度補正部３３）
色度補正部３３は、色度補正データ取得部３２によって取得された青色及び赤色の色度補正データを用いて、発光特性補正部１２によって補正された後の青色及び赤色の色信号のそれぞれを補正する。
【０１１９】
以上のように、本実施の形態における色信号補正装置３０は、表示色度のｘｙ座標から目標色度のｘｙ座標へ向かう色度抑制ベクトルを用いて、青色及び赤色の色度補正データを算出することができる。そして、色信号補正装置３０は、このように算出された青色及び赤色の色度補正データを用いて、赤色及び青色の両方の入力色信号を補正するので、より高精度に色度ずれを抑制することが可能となる。したがって、本実施の形態における色信号補正装置３０をＰＤＰを備える画像表示装置に搭載すれば、画像表示装置は、さらに白色の色度ずれを抑えることができる。
【０１２０】
また、説明を省略したが、本実施の形態における色信号補正装置３０の動作は、実施の形態１における色信号補正装置１０の動作と同様に、第１ステップと第２ステップとに分けられる。つまり、色信号補正装置３０は、第１ステップにおいて、ＬＵＴ記憶部１１と、発光特性補正部１２と、色度補正データ算出部３１と、色度補正テーブル記憶部１３とを用いて、色度補正テーブル１３ａ、１３ｂを作成して色度補正テーブル記憶部１３に格納する。また、色信号補正装置３０は、第２ステップにおいて、ＬＵＴ記憶部１１と、発光特性補正部１２と、色度補正テーブル記憶部１３と、色度補正データ取得部３２と、色度補正部３３とを用いて、色度補正テーブル記憶部１３に格納された色度補正テーブル１３ａ、１３ｂを参照して色度補正を行う。
【０１２１】
（実施の形態４）
次に、本発明の実施の形態４について説明する。
【０１２２】
実施の形態３における色信号補正装置３０は、白色の色度の変動を抑制するために、ＲとＢの色信号を色度補正データを用いて補正した。しかし、ＲＧＢの入力色信号によって特定される画素の色がＲ単色あるいはＢ単色の場合も色度補正データを用いて補正した場合、ＲあるいはＢに輝度ずれが発生する。そこで、実施の形態４における色信号補正装置４０は、図１０に示すように、さらに色度補正切替部４１を備える。
【０１２３】
図１０は、本発明の実施の形態４における色信号補正装置の機能構成を示すブロック図である。図１０において、図９と同様の構成要素については、同一の符号を付し、説明を省略する。
【０１２４】
（色度補正切替部４１）
色度補正切替部４１は、ＲＧＢの各色の入力色信号間の輝度レベルのバランスに応じて、色度補正部４２に色信号の補正をさせるか否かを切り替える。具体的には、ＲＧＢの各色の入力色信号が示す輝度レベルが略一致している場合に、色度補正切替部４１は、例えば、「１」を示す切替信号を色度補正部４２に出力する。一方、ＲＧＢの各色の入力色信号が示す輝度レベルが略一致していない場合に、色度補正切替部４１は、例えば、「０」を示す切替信号を色度補正部４２に出力する。
【０１２５】
（色度補正部４２）
色度補正部４２は、各色の入力色信号が示す輝度レベルが略一致している場合に、色信号を補正する。具体的には、色度補正部４２は、例えば、色度補正データ取得部１４によって取得された青色の色度補正値Ｂｂに、色度補正切替部４１によって出力された切替信号が示す値Ｓｅｌを乗算する。そして、色度補正部４２は、乗算した後の値を発光特性補正部１２によって補正された後の青色の色信号の輝度レベルＢｃに加算する。また、色度補正部４２は、例えば、色度補正データ取得部１４によって取得された赤色の色度補正値Ｒｂに、色度補正切替部４１によって出力された切替信号が示す値Ｓｅｌを乗算する。そして、色度補正部４２は、乗算した後の値を発光特性補正部１２によって補正された後の赤色の色信号の輝度レベルＲｃに加算する。
【０１２６】
以上のように、本実施の形態における色信号補正装置４０は、赤緑青を混色して表示する場合にのみ、効率的に色度ずれを抑制することが可能となる。すなわち、色信号補正装置４０は、赤緑青を混色して表示しない場合、つまり横クロストークによる色度ずれが発生しにくい場合には、色度ずれを抑制するための処理を行わず、輝度ずれを抑えることが可能となる。つまり、色信号補正装置４０は、白色が表示される際に色度ずれが生じず、赤緑青のいずれかの単色が表示される際に輝度ずれが生じないようにすることが可能となる。
【０１２７】
なお、各色の入力色信号によって特定される画素の色が白色に近い場合、色度補正部４２によって色信号を補正する又は補正しない（ＯＮ又はＯＦＦ）が繰り返し変更されることにより、ちらつきが認識されるほどに白色の色度が大きく変動する場合がある。そこで、色度補正部４２は、時間的に緩やかに色信号を補正する又は補正しないを切り替えることが好ましい。具体的には、色度補正部４２は、各色の入力色信号が示す輝度レベルが略一致したときから時間の経過とともに徐々に大きくなる係数β（βは０以上１以下の実数）を色度補正データに乗算した値を用いて色信号を補正することが好ましい。
【０１２８】
なお、赤色単色あるいは青色単色が表示されたときの輝度ずれは画質的にはほとんど影響が無いため、色度補正部４２による補正処理の切替は必ずしも必要ではない。
【０１２９】
なお、説明を省略したが、本実施の形態における色信号補正装置４０の動作は、実施の形態１における色信号補正装置１０の動作と同様に、第１ステップと第２ステップとに分けられる。つまり、色信号補正装置４０は、第１ステップにおいて、ＬＵＴ記憶部１１と、発光特性補正部１２と、色度補正データ算出部１６と、色度補正テーブル記憶部１３とを用いて、色度補正テーブル１３ａ、１３ｂを作成して色度補正テーブル記憶部１３に格納する。また、色信号補正装置４０は、第２ステップにおいて、ＬＵＴ記憶部１１と、発光特性補正部１２と、色度補正テーブル記憶部１３と、色度補正データ取得部３２と、色度補正切替部４１と、色度補正部４２とを用いて、色度補正テーブル記憶部１３に格納された色度補正テーブル１３ａ、１３ｂを参照して色度補正を行う。
【０１３０】
（実施の形態５）
次に、本発明の実施の形態５について説明する。
【０１３１】
上記実施の形態１〜４における色信号補正装置は、色度補正テーブル及び各色用ＬＵＴを用いて色信号を補正することにより、色度ずれを抑制した。しかしながら、上記実施の形態１〜４における色信号補正装置は、純粋なＲＧＢあるいはＷを高精度に表現することができるが、他の色の中間階調を高精度に表現することが難しい。中間階調を高精度に表現するには混色時の輝度ずれを根本的に抑える必要がある。
【０１３２】
混色時の輝度ずれはサブフィールドの点灯パターンで表現できない階調を補完するための誤差拡散あるいはディザを多用している階調部分で発生している。具体的には、横クロストークの影響を低減させるために、サブフィールドの組合せによって表現することを制限された階調等を、その階調とは異なる階調を空間的又は時間的に混合させる方法（例えば、ディザあるいは誤差拡散）によって表現した場合に、混色時の輝度ずれが発生している。
【０１３３】
しかしながら、サブフィールドの点灯パターンで表現できる階調数を単純に増やせば、横クロストークに起因する色度ずれ及び輝度ずれが発生してしまう。
【０１３４】
そこで、実施の形態５における画像表示装置は、横クロストークの影響を抑制しつつ、サブフィールドの点灯パターンで表現できる階調数を増加させることにより、色度ずれ及び輝度ずれを抑制することができることを特徴とする。
【０１３５】
図１１は、本発明の実施の形態５における画像表示装置の機能構成を示すブロック図である。画像表示装置５０は、ＳＦ変換テーブル記憶部５１と、ＳＦ変換部５２と、ＰＤＰモジュール５３とを備える。
【０１３６】
（ＳＦ変換テーブル記憶部５１）
ＳＦ変換テーブル記憶部５１は、例えば不揮発性のメモリからなる。ＳＦ変換テーブル記憶部５１は、色ごとのＳＦ変換テーブルである、ＲＳＦ変換テーブル５１ａ、ＧＳＦ変換テーブル５１ｂ及びＢＳＦ変換テーブル５１ｃを記憶している。
【０１３７】
図１２Ａは、ＧＳＦ変換テーブル５１ｂの一例を示す図である。また、図１２Ｂは、ＲＳＦ変換テーブル５１ａ又はＢＳＦ変換テーブル５１ｃの一例を示す図である。なお、図１２Ａに示すＧＳＦ変換テーブル５１ｂは、図２３に示す、横クロストークの影響を回避するためのＳＦ変換テーブルと同様である。また、図１２Ｂに示すＲＳＦ変換テーブル５１ａ又はＢＳＦ変換テーブル５１ｃは、図１９に示すＳＦ変換テーブルと同様である。
【０１３８】
すなわち、ＲＳＦ変換テーブル５１ａ又はＢＳＦ変換テーブル５１ｃが示す点灯パターンの種類数は、ＧＳＦ変換テーブル５１ｂが示す点灯パターンの種類数よりも多い。つまり、横クロストークの影響を受けやすい緑色よりも、横クロストークの影響を受けにくい赤色又は青色の方が、サブフィールドの点灯パターンで表現できる階調数が多い。
【０１３９】
なお、ＲＳＦ変換テーブル５１ａ及びＢＳＦ変換テーブル５１ｃの少なくとも一方が、図１２Ｂに示すテーブルであればよい。つまり、ＲＳＦ変換テーブル５１ａ及びＢＳＦ変換テーブル５１ｃのそれぞれに格納された点灯パターンの種類数の少なくとも一方は、ＧＳＦ変換テーブル５１ｂに格納された点灯パターンの種類数よりも多ければよい。この場合であっても、従来よりも点灯パターンの種類数、つまり表現できる階調数を増加させることができるので、画像表示装置は、横クロストークの影響を抑えつつ、色度ずれ及び輝度ずれを抑制することができる。
【０１４０】
（ＳＦ変換部５２）
ＳＦ変換部５２は、ＲＳＦ変換部５２ａ、ＧＳＦ変換部５２ｂ及びＢＳＦ変換部５２ｃを有する。ＲＳＦ変換部５２ａ、ＧＳＦ変換部５２ｂ及びＢＳＦ変換部５２ｃのそれぞれは、ＳＦ変換テーブル記憶部５１に記憶された、対応する色のＳＦ変換テーブル（ＲＳＦ変換テーブル５１ａ、ＧＳＦ変換テーブル５１ｂ及びＢＳＦ変換テーブル５１ｃ）を参照することにより、各色の色信号が示す輝度に対応する点灯パターンを取得する。そして、ＲＳＦ変換部５２ａ、ＧＳＦ変換部５２ｂ及びＢＳＦ変換部５２ｃのそれぞれは、取得した点灯パターンにしたがって点灯信号（Ｒｅ、Ｇｅ、Ｂｅ）を生成する。また、ＳＦ変換部５２は、初期化信号、書込み信号及び維持信号などを生成する。
【０１４１】
（ＰＤＰモジュール５３）
ＰＤＰモジュール５３は、例えば図１に示す交流面放電パネルと交流面放電パネルの３電極に駆動波形を印加するための駆動回路からなり、ＳＦ変換部５２によって生成された点灯信号にしたがって、ＰＤＰモジュール５３は発光体を発光させることにより画像を表示する。なお、ＰＤＰモジュール５３は、画像表示部に相当する。
【０１４２】
従来、各階調の点灯パターンは、ＲＧＢで同一の点灯パターンが用いられる。その点灯パターンは、前述したように、横クロストークの影響を回避するための、図２３に示す点灯パターンである。したがって、表現できる階調数（点灯パターンの種類数）が、図１９に示すような、サブフィールド法によって本来表現できる階調数よりも減少してしまっている。
【０１４３】
ここで、横クロストークの影響を最も受ける放電セルは、Ｇ放電セルであり、ＲとＢの放電セルはさほど横クロストークの影響を受けない。なぜなら、Ｇは視感度が高く、点灯ミスが発生すると視覚的に目立つからである。また、視覚的な面だけではなく、蛍光体の材料にも依存する。具体的には、Ｇが最も横クロストークの影響を受け、ＲとＢはさほど横クロストークの影響を受けない。なぜなら、Ｇは蛍光体表面が−（マイナス）に帯電するため、Ｒ及びＢよりも横クロストークによって壁電荷を失いやすく、書込みミスが起こりやすいからである。
【０１４４】
そこで、本実施の形態におけるＳＦ変換テーブル記憶部５１は、図１２Ｂに示すＲ及びＢの点灯パターンの種類数が、図１２Ａに示すＧの点灯パターンの種類数よりも多いＳＦ変換テーブルを記憶している。その結果、ＰＤＰモジュール５３は、Ｒ及びＢの点灯パターンの種類数を従来よりも増加させることができるので、誤差拡散あるいはディザを多用することなく、点灯パターンによって表現できる階調数を増加させることができる。
【０１４５】
また、ＳＦ変換テーブル記憶部５１は、横クロストークの影響を受けやすいＧの点灯パターンの種類数を、本来、ＳＦの組合せによって表現できる階調数よりも減少させたＳＦ変換テーブルを記憶している。したがって、画像表示装置５０は、横クロストークに対するマージンを保ちながら輝度ずれ及び色度ずれを抑えることができる。
【０１４６】
以上のように、実施の形態５における画像表示装置５０は、横クロストークの影響を受けにくい青色及び赤色の少なくとも一方の点灯パターンの種類数を、横クロストークの影響を受けやすい緑色の点灯パターンの種類数よりも多くすることができる。したがって、画像表示装置５０は、横クロストークの発生を抑制しつつ、表示可能な階調数を増加させることができる。つまり、画像表示装置５０は、中間階調の輝度ずれ及び色度ずれを効果的に抑えることができる。また、画像表示装置５０は、点灯パターンによって表現可能な階調数を増加させることができるので、白色の輝度ずれ及び色度ずれも抑制することが可能となる。
【０１４７】
なお、実施の形態５における画像表示装置５０と実施の形態１〜４における色信号補正装置とを組み合わせることでさらに輝度ずれ及び色度ずれを抑えることができる。
【０１４８】
また、図１２Ａ又は図１２Ｂに示したＳＦ変換テーブルは例示であり、必ずしも図１２Ａ又は図１２Ｂに示したＳＦ変換テーブルと同一のＳＦ変換テーブルがＳＦ変換テーブル記憶部５１に格納される必要はない。つまり、横クロストークの影響を抑制するために点灯パターンの種類数を制限したＧＳＦ変換テーブルと、少なくとも一方が、ＧＳＦ変換テーブルよりも点灯パターンの種類数の多いＲＳＦ変換テーブル及びＢＳＦ変換テーブルとがＳＦ変換テーブル記憶部５１に格納されればよい。この場合であっても、点灯させるサブフィールドの組合せによって表現できる階調数を増加させることができるので、実施の形態５における画像表示装置５０は、横クロストークの影響を抑制しつつ、色度ずれ及び輝度ずれを抑制することが可能となる。
【０１４９】
（実施の形態６）
実施の形態５で例示したＳＦ点灯パターンを用いて、横クロストークが発生しやすい高精細パネルを点灯させた場合、ＳＦの初期化方法の違いによって点灯不良が発生して輝度ずれ及び色度ずれが発生する。そこで、実施の形態６では、高精細パネルに適用できるＳＦ点灯パターンについて説明する。
【０１５０】
ＰＤＰの駆動方式は、１フィールド期間を複数のサブフィールドに分割した上で、発光させるサブフィールドの組み合わせによってＲＧＢ各色セルの階調表示を行う方式（サブフィールド法）が用いられている。各サブフィールドは、初期化期間、書込み期間及び維持期間を有する。
【０１５１】
初期化には２種類あり、すべての放電セルを一斉に初期化放電する全セル初期化と、維持放電した放電セルのみを初期化放電する選択的初期化とが存在する。全セル初期化は、すべての放電セルを確実に初期化放電できるが、もし、すべてのサブフィールドを全セル初期化にすれば、黒浮きして画質のコントラストが悪化する。なおかつ、全セル初期化は選択的初期化よりも初期化に要する時間が長いため、駆動時間を圧迫してしまう。よって、画像表示装置は、一般的に１フィールド期間に１回だけ（例えば、ＳＦ１のみ）全セル初期化している。
【０１５２】
上述した全セル初期化後の最初のアドレス放電（いわゆる、ＳＦ１のアドレス放電）は選択的初期化後の放電よりも放電強度が強い。よって、横クロストークが発生しやすい高精細パネルでは、ＳＦ１のアドレス放電によってＳＦ２以降に点灯不良が発生し、色度ずれが発生する。例えば、実施の形態５のＳＦ点灯パターンには、図１３のようなＳＦ点灯パターンが存在する。図１３のように、ＳＦ１において、ＲＧＢ放電セルのうちＲＢ放電セルが点灯すれば、Ｇ放電セルに蓄積された壁電荷がＲＢ放電セルに奪われる。その結果、続くＳＦ２において、Ｇ放電セルが点灯不良になる。なお、ＳＦ２以降は選択的初期化であるため、Ｇ放電セルがＳＦ２において点灯不良になった場合、ＳＦ３以降も点灯不良になる。
【０１５３】
そこで本実施形態における画像表示装置では、黒表示以外のときに、全セル初期化であるＳＦ１を常に点灯するＳＦ点灯パターンを用いる。
【０１５４】
図１４は、本発明の実施の形態６における画像表示装置の機能構成を示すブロック図である。図１４において、図１１と同様の構成要素については、同一の符号を付し、説明を省略する。なお、本実施の形態における画像表示装置６０と実施の形態５における画像表示装置５０とは、ＳＦ変換テーブル記憶部に記憶される各色のＳＦ変換テーブルと、ＳＦ変換部の処理の一部とが異なる。
【０１５５】
（ＳＦ変換テーブル記憶部６１）
ＳＦ変換テーブル記憶部６１は、図１５Ａに示すＧＳＦ変換テーブル６１ｂと、図１５Ｂに示すＲＳＦ変換テーブル６１ａ及びＢＳＦ変換テーブル６１ｃとを記憶している。図１５Ａに示すＧＳＦ変換テーブル６１ｂは、図１２Ａに示したＳＦ変換テーブルにおいてＳＦ１が非点灯であるＳＦ点灯パターン（図１６Ａにおいて斜線部で示すＳＦ１を含むＳＦ点灯パターン）を除いたＳＦ点灯パターンからなるＳＦ変換テーブルである。また、図１５Ｂに示すＲＳＦ変換テーブル６１ａ及びＢＳＦ変換テーブル６１ｃは、図１２Ｂに示したＳＦ変換テーブルにおいてＳＦ１が非点灯であるＳＦ点灯パターン（図１６Ｂにおいて斜線部で示すＳＦ１を含むＳＦ点灯パターン）を除いたＳＦ点灯パターンからなるＳＦ変換テーブルである。
【０１５６】
図１５Ａ及び図１５Ｂに示すように、ＲＳＦ変換テーブル６１ａ、ＧＳＦ変換テーブル６１ｂ及びＢＳＦ変換テーブル６１ｃには、複数のサブフィールドのうち選択された少なくとも１つのサブフィールドとしてＳＦ１が、所定の閾値である「０」より大きいすべての輝度に対して常に点灯する点灯パターンが格納される。ここで、所定の閾値は必ずしも「０」である必要はなく、非常に低い輝度を示す値であればよい。
【０１５７】
なお、斜線部で示したＳＦを含むＳＦ点灯パターンを除くことにより減少した階調は、維持パルス数の重み付けの調整及び誤差拡散あるいはディザによって表現されればよい。具体的には、例えば、斜線部で示したＳＦを含むＳＦ点灯パターンを除くことにより減少した階調は、その階調より大きい階調とその階調より小さい階調とを時間的に交互に表示することにより表現されればよい。また、例えば、斜線部で示したＳＦを含むＳＦ点灯パターンを除くことにより減少した階調は、その階調より大きい階調とその階調より小さい階調とを空間的に交互に表示することにより表現されればよい。このような構成にすることによって、高精細パネルであっても全セル初期化による横クロストークの影響を抑制しつつ、輝度ずれや色度ずれを抑えることができる。
【０１５８】
（ＳＦ変換部６２）
ＳＦ変換部６２は、ＳＦ変換テーブルを参照することにより、各色の色信号が示す輝度に対応する点灯パターンを取得する。具体的には、ＳＦ変換部６２が有するＲＳＦ変換部６２ａ、ＧＳＦ変換部６２ｂ及びＢＳＦ変換部６２ｃは、対応する色のＳＦ変換テーブルを参照することにより、各色の色信号が示す輝度に対応する点灯パターンを取得する。
【０１５９】
以上のように実施の形態６における画像表示装置６０は、横クロストークの影響の受けやすいサブフィールドにおいて、黒表示以外のときにＰＤＰモジュール５３を常に点灯させることできる。したがって、画像表示装置６０は、横クロストークの影響を受けやすい高精細パネルにおいても、横クロストークの影響を抑制しつつ、輝度ずれと色度ずれを抑えることができる。特に、画像表示装置６０は、全セル初期化放電が行われることにより横クロストークの影響の受けやすくなるサブフィールドにおいて、黒表示以外のときにＰＤＰモジュール５３を常に点灯させることによって、横クロストークの影響をさらに抑制することが可能となる。
【０１６０】
また、画像表示装置６０は、横クロストークの影響を抑制しつつ、表現できる階調数を増加させることができるので、白色の輝度ずれ及び色度ずれも抑制することができるのはいうまでもない。
【０１６１】
なお、実施の形態６における画像表示装置６０と実施の形態１〜４のいずれかにおける画像信号補正装置とを組み合わせることで、さらに厳密に白色の輝度ずれ及び色度ずれを抑えることができる。
【０１６２】
また、図１５Ａ又は図１５Ｂに示したＳＦ変換テーブルは例示であり、必ずしも図１５Ａ又は図１５Ｂに示したＳＦ変換テーブルと同一のＳＦ変換テーブルがＳＦ変換テーブル記憶部６１に格納される必要はない。つまり、選択された少なくとも１つのサブフィールドが点灯するように、実施の形態５におけるＳＦ変換テーブルに対して修正されたＳＦ変換テーブルがＳＦ変換テーブル記憶部６１に格納されればよい。この場合であっても、実施の形態６における画像表示装置６０は、画像を表示する際に、実施の形態５における画像表示装置５０よりも横クロストークの影響を低減させることができる。
【０１６３】
以上、本発明の一態様における色信号補正装置又は画像表示装置について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０１６４】
例えば、実施の形態５又は６における画像表示装置が、実施の形態１〜４のいずれかにおける色信号補正装置を備えてもよい。例えば、実施の形態５における画像表示装置５０が実施の形態１における色信号補正装置１０を備える場合、画像表示装置は、図１７に示すような構成となる。なお、図１７において、図２又は図１１と同一の機能を有する構成要素には同一の符号を付している。
【０１６５】
画像表示装置８０は、色信号補正装置１０と、ＳＦ変換テーブル記憶部５１と、ＳＦ変換部５２と、ＰＤＰモジュール５３とを備える。ＳＦ変換部５２は、色信号補正装置１０によって補正された各色の色信号に対応する点灯パターンを取得する。これにより、画像表示装置８０は、実施の形態１と実施の形態５との両方の効果を奏することが可能となり、さらに、輝度ずれ及び色度ずれの発生を抑制することが可能となる。なお、他の実施の形態の組合せ（実施の形態１〜４のいずれかと実施の形態５又は６との組合せ）であっても、上記と同様の効果を奏するのは言うまでもない。
【０１６６】
また、実施の形態１又は２において、色度補正部が補正する色信号は、青色の色信号であったが、赤色の色信号を補正してもよい。これにより、例えば、色温度９０００Ｋ以上の白色が表示される際に、色度ずれ及び輝度ずれを効果的に抑制することが可能となる。
【０１６７】
また、上記の色信号補正装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されてもよい。システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを含んで構成されるコンピュータシステムである。例えば、図２に示すように、発光特性補正部１２と、色度補正データ取得部１４と、色度補正部１５と、色度補正データ算出部１６とは、１個のシステムＬＳＩ７０から構成されてもよい。また、図７に示すように、発光特性補正部１２と、色度補正データ取得部１４と、色度補正データ算出部１６と、色度補正切替部２１と、色度補正部２２とは、１個のシステムＬＳＩ７１から構成されてもよい。また同様に、図９又は図１０に示すように、色信号補正装置を構成する構成要素の一部は、１個のシステムＬＳＩ７２又はシステムＬＳＩ７３から構成されてもよい。
【産業上の利用可能性】
【０１６８】
本発明は、赤緑青の各色の発光体からそれぞれなる複数の画素をサブフィールド法を用いて発光させることにより画像を表示する場合に、入力色信号に対する色度ずれ及び輝度すれの少なくとも一方を抑制することができるプラズマディスプレイ、特に、プロ用機器（マスタモニタ、ポスプロモニタなど）として用いられるプラズマディスプレイに有用である。
【符号の説明】
【０１６９】
１０、２０、３０、４０    色信号補正装置
１１    ＬＵＴ記憶部
１１ａ  各色用ＬＵＴ
１２    発光特性補正部
１３    色度補正テーブル記憶部
１３ａ、１３ｂ    色度補正テーブル
１４、３２    色度補正データ取得部
１５、２２、３３、４２    色度補正部
１６、３１    色度補正データ算出部
２１、４１    色度補正切替部
５０、６０、８０    画像表示装置
５１、６１    ＳＦ変換テーブル記憶部
５１ａ、６１ａ  ＲＳＦ変換テーブル
５１ｂ、６１ｂ  ＧＳＦ変換テーブル
５１ｃ、６１ｃ  ＢＳＦ変換テーブル
５２、６２    ＳＦ変換部
５２ａ、６２ａ  ＲＳＦ変換部
５２ｂ、６２ｂ  ＧＳＦ変換部
５２ｃ、６２ｃ  ＢＳＦ変換部
５３    ＰＤＰモジュール
７０    システムＬＳＩ
【手続補正２】
【補正対象書類名】特許請求の範囲
【補正対象項目名】全文
【補正方法】変更
【補正の内容】
【特許請求の範囲】
【請求項１】
赤緑青の各色の色信号にしたがって、赤緑青の各色の発光体からそれぞれなる複数の画素をサブフィールド法を用いて発光させることにより画像を表示する画像表示装置であって、
赤緑青の各色の色信号が示す輝度に対応づけて、複数のサブフィールドのうち点灯させるサブフィールドを示す点灯パターンが格納されたＳＦ変換テーブルを、色ごとに記憶しているＳＦ変換テーブル記憶部と、
前記ＳＦ変換テーブル記憶部に記憶された色ごとのＳＦ変換テーブルを参照することにより、入力された各色の色信号が示す輝度に対応する点灯パターンを取得し、取得した点灯パターンにしたがって色ごとに点灯信号を生成するＳＦ変換部と、
前記ＳＦ変換部によって生成された点灯信号にしたがって、前記発光体を発光させることにより画像を表示する画像表示部とを備え、
青色及び赤色の少なくとも一方の前記ＳＦ変換テーブルに格納される点灯パターンの種類数は、緑色の前記ＳＦ変換テーブルに格納される点灯パターンの種類数よりも多い
画像表示装置。
【請求項２】
前記ＳＦ変換テーブルには、複数のサブフィールドのうち選択された少なくとも１つのサブフィールドが所定の閾値より大きいすべての輝度に対して点灯することを示す点灯パターンが格納される
請求項１に記載の画像表示装置。
【請求項３】
前記画像表示部は、
走査電極及び維持電極からなる表示電極を有する前面基板と、
データ電極を有し、前記表示電極に対して前記データ電極が交差するように前記前面基板と対向する位置に配置された背面基板とを備え、
対向する前記前面基板及び前記背面基板の間に複数の放電セルが構成され、
前記サブフィールド法における１ＴＶフィールドは、前記複数の放電セルの少なくとも１つを初期化放電する初期化期間と、前記複数の放電セルのうち点灯すべき放電セルをアドレス放電する書込み期間と、アドレス放電された前記放電セルを維持放電する維持期間とをそれぞれ有する複数のサブフィールドから構成され、
前記複数のサブフィールドのうち少なくとも１つのサブフィールドは、前記複数の放電セルのすべてを初期化放電する全セル初期化放電期間を有し、
前記ＳＦ変換テーブルには、所定の閾値より大きいすべての輝度に対して複数のサブフィールドのうち全セル初期化放電期間を有するサブフィールドが点灯することを示す点灯パターンが格納される
請求項１又は２に記載の画像表示装置。
【請求項４】
さらに、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データが、当該色の入力色信号の示す輝度に対応づけて格納された色度補正テーブルを記憶している色度補正テーブル記憶部と、
前記各色用ＬＵＴを参照することにより各色の入力色信号が示す輝度に対応する発光輝度特性補正データを取得し、取得した発光輝度特性補正データを用いて前記各色の入力色信号を補正する発光特性補正部と、
前記色度補正テーブル記憶部に記憶されている色度補正テーブルを参照することにより、青色及び赤色の少なくとも一方の入力色信号に対応する色度補正データを取得する色度補正データ取得部と、
前記発光特性補正部によって補正された後の各色の色信号のうち前記色度補正データ取得部によって取得された色度補正データに対応する色の色信号を、当該色度補正データを用いて補正する色度補正部とを備え、
前記ＳＦ変換部は、前記色度補正部によって補正された後の色信号の輝度に対応する点灯パターンを取得する
請求項１〜３のいずれか１項に記載の画像表示装置。
【請求項５】
さらに、
前記各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部を備える
請求項４に記載の画像表示装置。
【請求項６】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより青色の入力色信号が示す輝度に対応する色度補正データを取得し、
前記色度補正部は、前記発光特性補正部によって補正された後の青色の色信号を、前記色度補正データ取得部によって取得された色度補正データを用いて補正する
請求項５に記載の画像表示装置。
【請求項７】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより赤色の入力色信号が示す輝度に対応する色度補正データを取得し、
前記色度補正部は、前記発光特性補正部によって補正された後の赤色の色信号を、前記色度補正データ取得部によって取得された色度補正データを用いて補正する
請求項５に記載の画像表示装置。
【請求項８】
前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、
前記色度補正データ取得部は、前記色度補正テーブルを参照することにより青色及び赤色の入力色信号が示す輝度に対応する色度補正データのそれぞれを取得し、
前記色度補正部は、前記色度補正データ取得部によって取得された色度補正データを用いて、前記発光特性補正部によって補正された後の青色及び赤色の色信号のそれぞれを補正する
請求項５に記載の画像表示装置。
【請求項９】
前記所定の係数αは、１００以下のあらかじめ定められた値である
請求項６〜８のいずれか１項に記載の画像表示装置。
【請求項１０】
前記色度補正部は、前記各色の入力色信号が示す輝度レベルが略一致している場合に、色信号を補正する
請求項４〜９のいずれか１項に記載の画像表示装置。
【請求項１１】
前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正する
請求項４〜１０のいずれか１項に記載の画像表示装置。
【請求項１２】
赤緑青の各色の発光体からそれぞれなる複数の画素をサブフィールド法を用いて発光させることにより画像を表示する画像表示部へ出力される赤緑青の各色の色信号を補正する色信号補正装置であって、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データを当該色の入力色信号の示す輝度に対応づけて格納するための色度補正テーブルを記憶している色度補正テーブル記憶部と、
赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出部と、
前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正部と、
前記色度補正テーブル記憶部に記憶されている色度補正テーブルを参照することにより、青色及び赤色の少なくとも一方の入力色信号に対応する色度補正データを取得する色度補正データ取得部と、
前記発光特性補正部によって補正された後の各色の色信号のうち前記色度補正データ取得部によって取得された色度補正データに対応する色の色信号を、当該色度補正データを用いて補正する色度補正部とを備える
色信号補正装置。
【請求項１３】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより青色の入力色信号が示す輝度に対応する色度補正データを取得し、
前記色度補正部は、前記発光特性補正部によって補正された後の青色の色信号を、前記色度補正データ取得部によって取得された色度補正データを用いて補正する
請求項１２に記載の色信号補正装置。
【請求項１４】
前記色度補正データ算出部は、前記目標色度のｙ座標又はｘ座標と、測定された前記表示色度のｙ座標又はｘ座標との差分値を、前記目標色度が示す白色の輝度レベルと乗算し、さらに所定の係数α（αは正の実数）倍した値を、色度補正データとして算出し、
前記色度補正データ取得部は、前記色度補正テーブルを参照することにより赤色の入力色信号が示す輝度に対応する色度補正データを取得し、
前記色度補正部は、前記発光特性補正部によって補正された後の赤色の色信号を、前記色度補正データ取得部によって取得された色度補正データを用いて補正する
請求項１２に記載の色信号補正装置。
【請求項１５】
前記色度補正データ算出部は、測定された前記表示色度のｘｙ座標から前記目標色度のｘｙ座標へ向かう色度抑制ベクトルを前記目標色度が示す白色の輝度レベル及び所定の係数α（αは正の実数）と乗算したベクトルを、前記目標色度のｘｙ座標と青色及び赤色の色度を示すｘｙ座標とを結ぶ２つの線分の方向にベクトル分解し、ベクトル分解後の各ベクトルの大きさを青色及び赤色の色度補正データとして算出し、
前記色度補正データ取得部は、前記色度補正テーブルを参照することにより青色及び赤色の入力色信号が示す輝度に対応する色度補正データのそれぞれを取得し、
前記色度補正部は、前記色度補正データ取得部によって取得された色度補正データを用いて、前記発光特性補正部によって補正された後の青色及び赤色の色信号のそれぞれを補正する
請求項１２に記載の色信号補正装置。
【請求項１６】
前記所定の係数αは、１００以下のあらかじめ定められた値である
請求項１３〜１５のいずれか１項に記載の色信号補正装置。
【請求項１７】
前記色度補正部は、前記各色の入力色信号が示す輝度レベルが略一致している場合に、色信号を補正する
請求項１２〜１６のいずれか１項に記載の色信号補正装置。
【請求項１８】
前記色度補正部は、前記各色の入力色信号が示す輝度レベルが略一致したときから時間の経過とともに徐々に大きくなる所定の係数β（βは０以上１以下の実数）を前記色度補正データに乗算した値を用いて色信号を補正する
請求項１２〜１７のいずれか１項に記載の色信号補正装置。
【請求項１９】
赤緑青の各色の発光体からそれぞれなる複数の画素をサブフィールド法を用いて発光させることにより画像を表示する画像表示部へ出力される赤緑青の各色の色信号を補正する色信号補正装置において用いられる色信号補正方法あって、
前記色信号補正装置は、
前記各色の発光体の発光輝度特性を補正するための発光輝度特性補正データが各色の入力色信号が示す輝度に対応づけて格納された赤緑青の各色用ＬＵＴ（ルックアップテーブル）を記憶しているＬＵＴ記憶部と、
青色及び赤色の少なくとも一方の色信号を補正するための色度補正データを当該色の入力色信号の示す輝度に対応づけて格納するための色度補正テーブルを記憶している色度補正テーブル記憶部とを備え、
前記色信号補正方法は、
赤緑青の各色の入力色信号によって特定される画素の色が白色である場合に、前記各色の入力色信号が前記各色用ＬＵＴを用いて補正された後の色信号にしたがって前記画像表示部に表示される画素の色度である表示色度と、前記各色の入力色信号によって特定される画素の色度である目標色度との差分に基づいて、青色及び赤色の少なくとも一方の色度補正データを算出し、算出した色度補正データを前記色度補正テーブルに格納する色度補正データ算出ステップと、
前記各色用ＬＵＴを参照することにより赤緑青の各色の入力色信号が示す輝度に対応する発光輝度特性補正データを取得し、取得した発光輝度特性補正データを用いて前記各色の入力色信号を補正する発光特性補正ステップと、
前記色度補正テーブル記憶部に記憶されている色度補正テーブルを参照することにより、青色及び赤色の少なくとも一方の入力色信号に対応する色度補正データを取得する色度補正データ取得ステップと、
前記発光特性補正ステップにおいて補正された後の各色の色信号のうち前記色度補正データ取得ステップにおいて取得された色度補正データに対応する色の色信号を、当該色度補正データを用いて補正する色度補正ステップとを含む
色信号補正方法。
【手続補正３】
【補正対象書類名】図面
【補正対象項目名】全図
【補正方法】変更
【補正の内容】
【図１】
2010047091.tif 000033
【図２】
2010047091.tif 000034
【図３】
2010047091.tif 000035
【図４Ａ】
2010047091.tif 000036
【図４Ｂ】
2010047091.tif 000037
【図５Ａ】
2010047091.tif 000038
【図５Ｂ】
2010047091.tif 000039
【図６】
2010047091.tif 000040
【図７】
2010047091.tif 000041
【図８】
2010047091.tif 000042
【図９】
2010047091.tif 000043
【図１０】
2010047091.tif 000044
【図１１】
2010047091.tif 000045
【図１２Ａ】
2010047091.tif 000046
【図１２Ｂ】
2010047091.tif 000047
【図１３】
2010047091.tif 000048
【図１４】
2010047091.tif 000049
【図１５Ａ】
2010047091.tif 000050
【図１５Ｂ】
2010047091.tif 000051
【図１６Ａ】
2010047091.tif 000052
【図１６Ｂ】
2010047091.tif 000053
【図１７】
2010047091.tif 000054
【図１８】
2010047091.tif 000055
【図１９】
2010047091.tif 000056
【図２０】
2010047091.tif 000057
【図２１】
2010047091.tif 000058
【図２２】
2010047091.tif 000059
【図２３】
2010047091.tif 000060
【図２４】
2010047091.tif 000061
【図２５】
2010047091.tif 000062
【国際調査報告】
2010047091.tif 000063
2010047091.tif 000064
2010047091.tif 000065
2010047091.tif 000066
2010047091.tif 000067
2010047091.tif 000068
2010047091.tif 000069
2010047091.tif 000070